(57)【特許請求の範囲】
【請求項１】
電子投票による選挙の際、投票所に設置され、選挙人による投票を受け付ける電子投票装置と、前記電子投票装置が記録情報を読み取り可能な投票カードを発行するカード発券装置とを備えた電子投票システムであって、
前記電子投票装置が、投票カードの初期化を行う書込手段と、
選挙人が入力した投票の内容を前記電子投票装置に設けられたメモリに記憶させた後、前記投票の内容を原本用記録媒体に記録し、前記原本用記録媒体の投票の内容と前記メモリの投票の内容とを照合し、それぞれの投票の内容が一致したことにより投票が確定したことを選挙人に確実に知らせるための報知手段と、
を備えていることを特徴とする電子投票システム。
【請求項２】
電子投票による選挙の際、投票所に設置され、選挙人による投票を受け付ける電子投票装置と、前記電子投票装置が記録情報を読み取り可能な投票カードを発行するカード発券装置とを備えた電子投票システムであって、
前記カード発券装置が、受付を済ませた選挙人に対して、選挙の種類毎の投票権利情報を投票カードに書き込む記録手段と、
前記電子投票装置が、投票カードに記録された選挙毎の投票権利情報を読み取る読取手段と、
読み取った前記投票権利情報を記憶する記憶手段と、
前記記憶手段上に全ての投票権利情報が記憶された後に、投票カードのデータ領域を初期化する書込手段と、
投票権利を有する選挙に対して、当該選挙の立候補者の一覧を選挙人に知らせる報知手段と、
選挙人による当該選挙の投票を受け付ける入力手段と、
選挙人が入力した投票の内容を前記電子投票装置に設けられたメモリに記憶させた後、前記投票の内容を電磁的な記録媒体に記録する記録手段と、
前記記録媒体の内、原本用記録媒体に記録した投票の内容と前記メモリの投票の内容とを照合し、それぞれの投票の内容が一致したことにより投票が確定し、当該選挙の投票権利が消尽したことを選挙人に知らせるための、前記報知手段とは異なる第２の報知手段と、
投票権利を有する全ての選挙が終了した後に、投票機から初期化された投票カードを排出する搬送手段と、
を備えていることを特徴とする電子投票システム。
【請求項３】
電子投票による選挙の際、投票所に設置され、選挙人による投票を受け付ける電子投票装置と、前記電子投票装置が記録情報を読み取り可能な投票カードを発行するカード発券装置とを備えた電子投票システムの運用方法であって、
前記カード発券装置が、選挙人の投票権利を識別するトークンを記録するステップと、
前記電子投票装置が投票カードを内部に取り込むステップと、
前記電子投票装置が投票カードに記録されたトークンを読み取るステップと、
前記電子投票装置がトークンの読み取りを行った後に、投票カードを初期化するステップと、
前記電子投票装置が投票権利を有する選挙の投票画面を報知手段により表示するステップと、
前記電子投票装置が選挙人が入力した投票の内容を前記電子投票装置に設けられたメモリに記憶させた後、前記投票の内容を原本用記録媒体に記録し、前記原本用記録媒体の投票の内容と前記メモリの投票の内容とを照合し、それぞれの投票の内容が一致したことにより投票が確定して当該選挙の投票権利が消尽したことを、前記報知手段とは異なる第２の報知手段により選挙人に報知するステップと、
前記電子投票装置が初期化された投票カードを外部に排出するステップと、
を有することを特徴とする電子投票システムの運用方法。
【発明の詳細な説明】
【０００１】
【発明の属する技術分野】
本発明は、国内外の公職選挙などの際にコンピュータを用いて投票及び開票を行う電子投票システム及びその運用に関する。
【０００２】
【従来の技術】
近年の情報技術（ＩＴ：Information Technology以下ＩＴと記す）の進展に伴い、タッチパネル方式に関する特許第２７４７１７１号や、マークシート方式に関する特許第２６６９３７１号等、選挙における投票や開票のプロセスのＩＴ化を目的とした電子投票に関する特許発明が開示されている。
【０００３】
また、本出願人が既に特許出願している電子投票に係る発明（特願２００１−１１２４９１、特願２００１−１９１９４、特願２００１−２４９６６、特願２００１−５３９７２、特願２００１−２６０６１９等）によれば、ユニバーサルデザイン技術により、選挙人（投票者）が指定された投票所に設置されたコンピュータを使用して候補者を選択する際、候補者の表示手段（出力手段）と投票手段（入力手段）を任意に選ぶことが可能となっている。なお、上記の特許出願中の発明は、まだ公開されておらず、公知とはなっていない。
【０００４】
さて、従来の電子投票システムにおいては、一人一票の原則と無記名投票の原則の双方を守るために、投票所受付において係員が入場整理券（選挙前に有権者に郵送される葉書）と引き換えに発行した投票カードを用いて、選挙人に電子投票機による投票を開始させる技術が知られている。例えば、特開平６−３５９３４号には、投票カードに選挙の投票権利の有無を識別する識別子（トークン）を記録することにより、選挙に対する適格性を判別する技術が開示されている。この公知技術によると、投票終了時には投票カードに使用済みの情報が記録されてその投票カードが無効化されるので、同一投票者による複数回の投票を防止することが可能となる。
【０００５】
【発明が解決しようとする課題】
ところが、上記した従来技術は、あくまで投票カードへのデータの書き込みが正常に行われる限りにおいて有効であるが、仮に書き込みの際に異常が発生した場合に、深刻な問題を引き起こす恐れがある。すなわち、投票中において、電子投票機が投票カードに使用済みの情報を記録する際に書込みエラーが発生した場合、その投票カードを使用していた選挙人が既に投票を終えたのか、まだ投票を行う前であったのかが判断不能になることである。例えば、選挙人が投票機に表示された候補者をボタン等により選択入力し、投票機内部の投票データを記録する電磁的記録媒体に選択された候補者名が正常に記録されたとする。このプロセスの後、仮に投票カードに投票済みの情報を書き込む際に障害が発生し書き込みに失敗した場合、選挙人は投票カードによっては投票が確定したことを知ることができなくなる。さらに、電磁的記録媒体の投票データを投票所で読み取ることは法的に禁止されているものであるから、投票管理者も再投票させるべきか否か判断できなくなる。この場合には、既に投票データはメディアに記録されているにも関わらず、選挙人はこの投票カードを再使用して投票を行うことができ、一人一票の原則が崩れてしまうことになる。
【０００６】
このように、従来の投票カードを使用する電子投票システムは、電子機器を使用する上で回避できない障害に対して信頼性を高めることが容易でないという問題があった。
【０００７】
本発明は、上記状況に鑑みてなされたものであり、特に投票カードを用いて投票権利の有無を判別する電子投票システムにおいて、投票カードへの記録障害に対して強固な、信頼性の高い電子投票システム及び、その運用方法を提供する。
【０００８】
【課題を解決するための手段】
本発明は、上記課題を解決するために以下の１）〜３）記載の手段よりなる。
すなわち、
１）  電子投票による選挙の際、投票所に設置され、選挙人による投票を受け付ける電子投票装置と、前記電子投票装置が記録情報を読み取り可能な投票カードを発行するカード発券装置とを備えた電子投票システムであって、
前記電子投票装置が、投票カードの初期化を行う書込手段と、
選挙人が入力した投票の内容を前記電子投票装置に設けられたメモリに記憶させた後、前記投票の内容を原本用記録媒体に記録し、前記原本用記録媒体の投票の内容と前記メモリの投票の内容とを照合し、それぞれの投票の内容が一致したことにより投票が確定したことを選挙人に確実に知らせるための報知手段と、
を備えていることを特徴とする電子投票システム。
２）電子投票による選挙の際、投票所に設置され、選挙人による投票を受け付ける電子投票装置と、前記電子投票装置が記録情報を読み取り可能な投票カードを発行するカード発券装置とを備えた電子投票システムであって、
前記カード発券装置が、受付を済ませた選挙人に対して、選挙の種類毎の投票権利情報を投票カードに書き込む記録手段と、
前記電子投票装置が、投票カードに記録された選挙毎の投票権利情報を読み取る読取手段と、
読み取った前記投票権利情報を記憶する記憶手段と、
前記記憶手段上に全ての投票権利情報が記憶された後に、投票カードのデータ領域を初期化する書込手段と、
投票権利を有する選挙に対して、当該選挙の立候補者の一覧を選挙人に知らせる報知手段と、
選挙人による当該選挙の投票を受け付ける入力手段と、
選挙人が入力した投票の内容を前記電子投票装置に設けられたメモリに記憶させた後、前記投票の内容を電磁的な記録媒体に記録する記録手段と、
前記記録媒体の内、原本用記録媒体に記録した投票の内容と前記メモリの投票の内容とを照合し、それぞれの投票の内容が一致したことにより投票が確定し、当該選挙の投票権利が消尽したことを選挙人に知らせるための、前記報知手段とは異なる第２の報知手段と、
投票権利を有する全ての選挙が終了した後に、投票機から初期化された投票カードを排出する搬送手段と、
を備えていることを特徴とする電子投票システム。
３）電子投票による選挙の際、投票所に設置され、選挙人による投票を受け付ける電子投票装置と、前記電子投票装置が記録情報を読み取り可能な投票カードを発行するカード発券装置とを備えた電子投票システムの運用方法であって、
前記カード発券装置が、選挙人の投票権利を識別するトークンを記録するステップと、
前記電子投票装置が投票カードを内部に取り込むステップと、
前記電子投票装置が投票カードに記録されたトークンを読み取るステップと、
前記電子投票装置がトークンの読み取りを行った後に、投票カードを初期化するステップと、
前記電子投票装置が投票権利を有する選挙の投票画面を報知手段により表示するステップと、
前記電子投票装置が選挙人が入力した投票の内容を前記電子投票装置に設けられたメモリに記憶させた後、前記投票の内容を原本用記録媒体に記録し、前記原本用記録媒体の投票の内容と前記メモリの投票の内容とを照合し、それぞれの投票の内容が一致したことにより投票が確定して当該選挙の投票権利が消尽したことを、前記報知手段とは異なる第２の報知手段により選挙人に報知するステップと、
前記電子投票装置が初期化された投票カードを外部に排出するステップと、
を有することを特徴とする電子投票システムの運用方法。
【０００９】
【発明の実施の形態】
以下、図面を参照しながら、本発明に係る実施の形態である電子投票システム及びその運用方法について説明する。
【００１０】
図１は、本発明に係る電子投票システム及びその運用方法の実施の形態の一例を示す図である。同図に示す電子投票システムは、選挙管理委員会や中央選挙管理委員会などの選挙管理組織によって管理されるものであり、大別して、選挙データ作成システム１００、投票所システム２００、開票所システム３００により構成される。なお、選挙データ作成システム１００は全国の自治体毎に複数存在し、また投票所システム２００も、各々の選挙データ作成システム１００に対して投票区毎に複数設置されるシステムであり、さらに開票所システム３００も開票区毎に複数設置される。したがって、複数の選挙データ作成システム１００、及び複数の投票所システム２００、複数の開票所システムが存在するが、同図では、簡略のため、１つの選挙データ作成システム１００、２つの投票所システム２００、２つの開票所システム３００のみが図示されている。
【００１１】
選挙データ作成システム１００は、選挙データ管理作成機１０１と選挙データメディアコピー機１０２とを有している。選挙データ管理作成機１０１は、実施選挙の種類４０２（単記式候補者選挙や、非拘束名簿式比例代表選挙などの選挙の種類のこと）、カード認証キー（以下認証キーとも言う）４０３及び投票プログラム４０４の管理、候補者名・政党登録の更新・削除などを管理し、候補者画面と選挙データから構成される候補者データ４０１を作成することにより、後述する電子投票機用や投票カード発券機用及び投票データ収集・集計機用の選挙データマスター４００を投票前に事前に作成するサブシステムである。特に、候補者名・政党名の登録の際には、候補者の氏名、所属政党、読み仮名、経歴、公約などのデータをテキスト形式データとして、図示しないハードディスクやメモリなどの格納手段内に格納する。また、これらのデータは、視覚障害者に対して音声ガイドを行うために、ＡＤＰＣＭ（Adaptive Differential Pulse Code Modulation）やＭＰ３（エム・ピー・スリー：MPEG-1/Audio Layer3、MPEG：Motion Picture Experts Group）などの適切な圧縮形式の音声データとして記憶される。さらに、候補者の顔写真やポスターなどの画像情報などはＪＰＥＧ（ジェイペグ： Joint Photographic Experts Group）などの適切な圧縮形式の画像データとして記憶される。なお、この選挙データ管理作成機１０１は、ＰＣ（パーソナルコンピュータ： Personal Computer）によって実現可能である。
【００１２】
選挙データ管理作成機１０１が作成する選挙データマスター４００には、投票プログラム４０４、候補者データ４０１、カード認証キー４０３が記録される。カード認証キー４０３とは、本実施例では、ＩＣカードの読取りを認証するためのキーである。選挙データマスター４００は、通常１つのメディアとして作成され、選挙管理組織（以下、選挙管理委員会、選管ともいう）が有する試験用機器により試験され、承認された場合に、選挙データメディアコピー機１０２に移送される。
【００１３】
選挙データメディアコピー機１０２は、選管によって試験されて承認された選挙データマスター４００のデータを、複数のメディアに複製するための装置である。この選挙データメディアコピー機１０２により作成されるメディアは、後述する投票所システム２００を構成する電子投票機２０３に対して配布される記録媒体（副本用記録媒体）４０９と投票所の投票カード発券機に対して配布される記録媒体（発券機用メディア）２０２である。
【００１４】
副本用記録媒体４０９には、投票プログラム４０４、候補者データ４０１、カード認証キー４０３が、選挙データマスター４００から複製され、記録される。なお、副本用記録媒体４０９とは別に原本用記録媒体４０８が用意され、原本用記録媒体４０８には、データを何も記録しないブランク状態で電子投票機２０３に配布される。投票プログラム４０４とは、電子投票機２０３において、画面及び音声ガイダンスなどを含む候補者データ４０１とカード認証キー４０３を用いて、投票の制御と投票データの記録管理を実行するアプリケーションプログラムである。また、カード認証キー４０３とは、投票カード初期化や投票カードの有効性の認証を行うためのデータである。
【００１５】
発券機用メディア２０２には、実施選挙の種類４０２、カード認証キー４０３が、選挙データメディアコピー機により選挙データマスター４００から複製され、記録される。発券機用メディア２０２とは、投票カード発券機２０１を起動するために必要な記録媒体である。メディアとしてはフロッピー（登録商標）ディスクやＩＣカードなどが使用される。
【００１６】
投票所システム２００は、投票カード発券機２０１と電子投票機２０３を有している。投票カード発券機２０１は、住民基本台帳に基づいて作成された選挙人名簿又は抄本に記載された選挙人にあらかじめ配布された入場整理券（主に、選挙人に郵送される葉書）との対照により本人確認を行った後、記載されている選挙人特性（障害の種類）に応じて、投票カード４０６を発行するための装置である。投票カード４０６は、例えば、ＩＣカードを用いることにより、多くの情報を蓄積することができる。この投票カード４０６には、図２１に図示するようにカード発券年月日、選挙人の障害の種類を示す選挙人特性ＩＤ２０２１、言語区分、選挙の種類を示す選挙ＩＤ、投票種別、などのデータが記憶される。
【００１７】
投票カード発券機２０１は、投票管理者が所有管理する運用カード４０５をも発行する機能を有する。投票管理者は、投票カード発券機２０１を使い、投票カード認証キー４０３を使用して作成した固有の投票所ＩＤ４０５５（以下、管理ＩＤともいう）を運用カード（以下、管理者カードともいう）４０５に記録する。運用カード４０５には、選挙管理委員会が生成した全投票所で共通のカード認証キー４０３を用いて生成される投票所ＩＤ４０５５が記録される。運用カード４０５は、ＩＣカードなどで実現され、投票所ＩＤ４０５５は投票所毎に異なる固有値を取る必要がある。運用カード４０５は、電子投票機２０３に挿入されると、電子投票機に装着された副本用記録媒体４０９上のカード認証キー４０３を使用して運用カード４０５の読取りを認証し、投票所ＩＤ４０５５を読み取る。読み取られた投票所ＩＤ４０５５は、電子投票機２０３のＲＡＭ４５３（ディスクメモリ等）に格納される。こうして、投票所に固有の投票所ＩＤが投票カード発券機２０１から電子投票機２０３に伝播され、電子投票機２０３が、選挙人から投票カード４０６を受付可能な状態となる。このとき、投票カード４０６にはこの投票所ＩＤ（管理ＩＤ）が記録されて発券されるため、この投票所における投票カード発券機２０１で発行された投票カード４０６以外の投票カードは、異なる投票所ＩＤを有することから、受け付けられないこととなる。
【００１８】
投票カード４０６には、投票所ＩＤ４０５５以外に、選挙人が入出力手段を選択できる情報が投票カード発券機２０１において記録される。例えば、入場整理券の選挙人特性欄に視覚障害者の記載がある選挙人の投票カード４０６には、投票所において視覚障害者であることを示す選挙人特性ＩＤ２０２１が記録され、選挙人に貸与される。この選挙人が投票カード４０６を電子投票機２０３に挿入した場合、視覚障害者用の投票モードになり、適切な表示入力モードが選択される。なお、この投票カード４０６には、憲法１５条に定められた投票の秘密を守るため、カードを使用する選挙人を特定できるような個人情報は記憶されないようにすることが好ましい。したがって、投票カードとして、住民基本台帳カードなどの個人情報が記録されたカードを利用する場合には、電子投票機２０３による個人情報の読取りを制限する必要がある。
【００１９】
電子投票機２０３は、投票所に複数台設置され、選挙人による投票を受け付けるための装置である。電子投票機２０３は、投票所に設置された時点では、選挙に係るデータは何ら格納されておらず、空の投票箱の状態である。選挙データシステム１００から電子投票機２０３に対して実施選挙に係るデータの移送が完了して初めて、投票装置としての機能を果たすようになる。すなわち、選挙データメディアコピー機１０２から可搬性のある副本用記録媒体４０９により、投票プログラム４０４及び候補者データ４０１、カード認証キー４０３が移送され、電子投票機２０３の記憶手段（後述するＲＡＭ４５３）に記録される。
【００２０】
また電子投票機２０３は、投票終了後においては、選挙人の投票内容を記録した投票データ４０７及び電子投票プログラム（以下投票プログラムとも言う）４０４などの電子投票機２０３内部に存在する選挙に係る全てのデータは、記憶手段が揮発性メモリを使用していることにより、電源切断時にＲＡＭ４５３から自動的に消去される。そして、メモリカードなどの可搬性のある記録媒体（すなわち原本用記録媒体４０８及び副本用記録媒体４０９）が開票所システム３００に送致される。このように、投票時間の間だけ、電子投票機２０３に選挙に係るデータやソフトウェアが置かれるようにすることによって、第三者による不正操作の危険を極めて低くすることが可能となる。
【００２１】
電子投票機２０３は、投票日の投票開始時刻の前に、投票カード発券機２０１によって発行された識別コードである投票所ＩＤ４０５５を、投票開始に先立って運用カード（管理者カード）４０５により読込んで投票機内部に記憶する機能を有する。そして、電子投票機２０３は、投票開始時刻の後には、本人確認を済ませた有権者（以下、選挙人、投票者ともいう）に対して投票カード発券機２０１により発券された投票カード４０６を読み取る機能を有する。投票カード４０６には、同一投票所内では上述した運用カード４０５に記録されたものと同一の投票所ＩＤが記録されており、投票者が電子投票機２０３に対して投票カード４０６を挿入したときに、認証キー４０３によりデータ読取りの認証が成功した後に、カードに記録された投票所ＩＤを読み込んで投票機内部の投票所ＩＤと比較照合することにより、挿入された投票カードの真正性を判定する。また電子投票機２０３は読み取る投票カード４０６には、投票所ＩＤ４０５５の他に、上記した選挙人特性ＩＤ２０２１や、投票可能な選挙の種類（図１では実施選挙の種類４０２として図示）に対応する投票権利を示す投票フラグ２０２２が記録されている。これらのデータは、上記投票所ＩＤ４０５５の照合が成功した後に、順次読み取られる。
【００２２】
なお、図１に示す本願実施の形態においては、投票所システム２００における複数の電子投票機２０３の各々が投票データ４０７を記録可能な電磁的記録媒体を有するよう構成しているが、これを、投票所システム２００内でローカルエリアネットワーク（ＬＡＮ）を構築し、各々の電子投票機２０３のデータをオンラインで１台のサーバに伝送し、サーバが可搬性のある電磁的記録媒体に投票データ４０７を記録するようなシステム構成とすることも可能である。
【００２３】
また開票所システム３００は、データ収集・集計機３０１、集計結果を印刷するプリンタを有している。
【００２４】
さらに投票データ収集・集計機３０１は、複数の投票所に設置されて電子投票機２０３の投票データ４０７及び投票機シリアル番号２０３ｓ（個々の電子投票機の製造時に付与されたシリアル番号）を収集し、両者を関連付けて図示しない格納手段に格納するための装置である。本実施形態では、投票データ４０７の収集方法としては、可搬性のある原本用記録媒体４０８による物理的な搬送手段を用いる。なお、本発明の他の実施形態として、投票所システム２００と開票所システム３００とを電気通信回線によりネットワーク接続し、電磁的記録媒体４０８、４０９に記録されたデータを読み出して、ネットワーク伝送するように構成することも可能である。このような電磁的記録媒体とネットワークを併用するハイブリッド方式のネットワーク型システムを採用した場合、常時接続を必要とせず、投票所を閉じる時刻の後に一括してデータ伝送を行うことができるため、伝送におけるセキュリティをより高めることが可能である。
【００２５】
以下、図１に示す電子投票システムを構成するハードウェアおよびソフトウェアの詳細について、図２以降の図面を用いて説明する。
【００２６】
図２は、本実施の形態に適用される電子投票機２０３の外装の一例を示す斜視図である。同図に示す電子投票機２０３は、液晶表示装置２０３１１（以下ＬＣＤとも言う  ＬＣＤ：Liquid Crystal Display）及びタッチパネル２０３１３、及び図示しないタッチパネルコントロール基板、後述するインバータ基板２０３１２並びに筐体部から構成されるディスプレイユニット２０３１を有している。ＬＣＤ２０３１１は、投票に係る情報を、投票者に視覚的に報知する。本実施形態におけるＬＣＤ２０３１１のサイズは１５インチであり、誰にとっても見やすい大きさの画面表示を行うのに十分な大きさと解像度（１０２４×７６８画素）を有している。タッチパネル２０３１３は、上記ＬＣＤの上面に重ね合わせて配置され、指やスタイラスペンで触れることにより座標入力が可能な抵抗膜式の透明タブレットである。タッチパネル２０３１３は、ＬＣＤ以上の解像度（４０９６×４０９６画素）を有しており、ＬＣＤ上にＧＵＩ（グラフィカル・ユーザー・インターフェース：Graphical User Interface）により表示された操作ボタンをタッチパネル上から押下する際に、確実な識別が可能となっている。また、投票カード４０６の読取りを行う投票カード記録読取手段２０３２（以下、カード記録読取手段、カードリーダライタ、カードＲ／Ｗとも言う）を有する。さらに、音声による投票操作ガイドを行うスピーカ（音声出力手段）２０３３を有している。また、電子投票機２０３は、投票所の投票管理者が管理する南京鍵２０３０ａによって開閉可能なフロントドア２０３０を有している。フロントドア２０３０の内部には、後述するように、投票データ４０７や投票ログ４０７５等を記録する記録媒体（原本用記録媒体４０８、副本用記録媒体４０９）を挿入するスロット等が格納されており、フロントドア２０３０を本南京錠２０３０ａにより施錠することにより、第三者によるメディアへの不正脱着を防止することとしている。また、フロントドア２０３０には、開閉状態を電気的に検出可能なセンサ２０３１０が配置されており、投票中においては、フロントドア２０３０が開いた場合に、異常として検出し、状態表示灯２０３０１の操作表示灯２０３０１ｂに表示する。
【００２７】
ＬＣＤおよびタッチパネルを含むディスプレイユニット２０３１は、誰にとっても利用しやすい高さおよび形状を実現するため、水平面に対して１５度の傾きを有するように構成されており、投票所において投票機２０３を自書式投票用の記載台の上に設置した際に、立位の投票者による目視が容易であり、かつ投票者背面によりの盗み見を防止できるような角度に設計されている。
【００２８】
電子投票機２０３は、状態表示灯２０３０１を除く外装部の大きさが、幅３５０ｍｍ×奥行３５０ｍｍ×高さ１９０ｍｍであり、図示しない保管箱に収納した状態で５段の積み重ねが可能である。また、従来自書式投票において使用されてきた記載台の上にも設置することが可能である。また、電子投票機２０３の重量は約８kg程度であるので一人で十分運搬可能であり、投票所への運搬又は設置等の選挙事務に支障のない重量である。
【００２９】
図３は、本実施の形態に適用される電子投票機２０３の外装に係る別の一例を示す斜視図である。ディスプレイユニット２０３１の筐体部は、表示面の傾き（チルト）を調整可能な機構をさらに有し、しかもタッチパネル操作時に安定性を有する図示しない支持機構を具備させて、車椅子の選挙人等が座した状態でも操作し易いようなバリアフリー仕様とすることが好ましい。ただし、この表示面の角度は、必ずしも任意の角度に調整可能であるように構成する必要はない。図３は、表示面を設置面に対して９０度（垂直）に配置した場合の斜視図である。図２及び図３に図示するように、表示部の傾きは、水平面（設置面）に対して１５度または９０度の２種類のみから投票者が選択することとしても、実際上差し支えないことが、全国の身体障害者に対する実地試験により明らかになっている。そこで、これ以外の角度に対する調整機構を省略することにより、図示しない支持機構の製作費用を低減することができる。なお、表示部を立てた状態で使用するときは、投票時に、背後にいる人間の盗み見により投票の秘密が漏れないように、投票所の壁面を背にする等、適切な向きで設置することが好ましい。
【００３０】
図４は、本実施の形態に適用される電子投票機２０３の外装の一例を示す上面図である。同図に示す電子投票機２０３の上面図は、ディスプレイユニット２０３１を倒した状態（すなわち水平面から１５度の状態）を図示している。電子投票機２０３は、ロックブラケット２０３０ｂを有している。ロックブラケット２０３０ｂは、南京錠２０３０ａ等の鍵のシャックル部が貫通できるような穴を有しており、その穴の径は、鍵のシャックル部が十分に出し入れできる程に大きく、かつ施錠時にフロントドア２０３２にガタが生じない程度の大きさを有している。また、電子投票機２０３は、スタイラスペン２０３１ａを保持するペンホルダ２０３１ｂを有している。本発明の投票機２０３のタッチパネル入力操作に使用するスタイラスペン２０３１ａは、投票者がタッチパネルを指で触れる代わりに選択的に用いるものであり、適度に先の尖ったペン形状の物品であれば、どのようなものでも使用可能である。
【００３１】
電子投票機２０３は、スライドカバー２０３５を有しており、スライドカバー２０３５が半分だけ開いた状態が図示されている。スライドカバー内部に、状態表示灯２０３０１を投票機内部のハードウェアに接続するための状態表示灯ケーブル２０３０１ｄを有している。状態表示灯ケーブル２０３０１ｄは、ポール２０３０１ｃ（図５に図示）の内部を通し、本体リア部にコネクタ接続される。この状態表示灯ケーブル２０３０１ｄは、後述する投票機内部のマザーボード４５０及び直流電源２０３１５に接続され、投票操作及び電源状態をランプの点灯状態により表示することで、投票機２０３から離れた場所にいる人が視覚的にモニター可能である。なお、図４には図示されていないが、スライドカバー内部には、表示または入力に関するバリアフリーオプションを接続するための複数の端子が配置されている。例えば、候補者選択項目が巡回的に移動するスキャン入力画面において使用可能な運動機能障害用プッシュスイッチ２０３７１で行う投票モードで使用する運動機能障害用プッシュスイッチ端子２０３７を有する。また、視覚的に候補者画面表示を認識困難な選挙人が使用可能な、触覚認識用ピンディスプレイ及び盲人用キーボードを配置した視覚障害者用専用キーボード２０３８１を接続する視覚障害者用専用キーボード端子２０３８を有する。さらに、ディスプレイユニット２０３１を使用せずに音声のみで投票を行う投票モードで使用する音量調整付きヘッドホン２０３９１を接続するヘッドホン端子２０３９等が配置されている。
【００３２】
図５は本実施の形態に適用される電子投票機２０３の外装の一例を示す正面図である。
同図に示す電子投票機２０３が有する状態表示灯２０３０１は、電源表示灯２０３０１ａ、操作表示灯２０３０１ｂ、ポール２０３０１ｃから構成されている。電源表示灯２０３０１ａは、操作表示灯とは異なる色（例えば赤色）のＬＥＤ（発光ダイオード：Light-Emitting Diode）により構成され、消灯、点滅、点灯の３状態により、ＡＣ電源２０３１６、ＤＣ電源２０３１５（停電用に投票機に内蔵された内部バッテリ又は投票機に接続した外部バッテリ）等の電源駆動状態の確認表示を行う。例えば、ＬＥＤ消灯状態をＡＣ電源供給駆動中、ＬＥＤ点滅状態をＡＣ電源供給無し、かつ外部バッテリ接続無し（内蔵バッテリ駆動中）、ＬＥＤ点灯状態をＡＣ電源供給無し、かつ外部バッテリ接続駆動中などと定義することにより、投票機から離れた投票立会人等が電源状態を常に視覚的に監視することができる。操作表示灯２０３０１ｂは、上記した電源表示灯とは異なる色（例えば緑色）のＬＥＤにより構成され、消灯、点滅、点灯の３状態により、 投票状態の確認表示を行う。例えば、ＬＥＤ点灯状態を投票中、ＬＥＤ消灯状態を投票待ち受け中、ＬＥＤ点滅状態をエラー発生時などと定義し、投票管理者や投票立会人が不正操作が行われていないかどうか、投票機２０３から離れた位置から監視することができる。エラー発生の例としては、投票データを記録する記録媒体や電源スイッチ等を格納するフロントドア２０３２が投票中に開いたことをフロントドア開閉センサ２０３１０で検出した場合、後述する投票カードの読取エラーが発生した場合等が挙げられる。ポール２０３０１ｃは、伸縮自在な４段式ポールであり、先端部に２色のＬＥＤ（緑、赤）を取付けた構造となっている。本実施例では、最大延長時約１１０ｃｍの長さを有し、記載台（高さ７５ｃｍ）に設置した際の高さが、有権者の平均的な身長よりも高くなるようにして、投票所内の投票管理者や投票立会人が監視しやすいように設計されている。
【００３３】
投票機２０３は、投票確定ＬＥＤ２０３４を有している。投票確定ＬＥＤ２０３４とは、選挙人による候補者選択確認後、原本用記録媒体４０８に投票データ４０７及び投票ログ４０７５が正常に記録された場合、投票データ４０７の投票確定が完了したことを示す表示ＬＥＤである。ただし、投票確定は、後述するように、投票データ４０７と投票ログ４０７５が原本用記録媒体４０８に記録確認された時点で成立する。また、投票確定ＬＥＤ２０３４は、投票操作中に不測の障害が発生した場合に、投票が完了しているか否かを明確にさせる機能をも有している。
【００３４】
投票機２０３は、カード挿入ガイドＬＥＤ２０３２ａを有する。カード挿入ガイドＬＥＤ２０３２ａとは、カード記録読取手段２０３２の挿入口を投票者に対して明示するためのランプである。カード挿入ガイドＬＥＤ２０３２ａは、点灯状態が投票カード４０６（あるいは運用カード４０５）が挿入中、点滅状態は投票カード４０６が（あるいは運用カード４０５）未挿入又はカード抜取り待ち中であることを意味する。
【００３５】
投票機２０３は、電源ランプ２０３０８（以下、ＡＣ入力確認用ＬＥＤともいう）を有する。電源ランプ２０３０８は、商用電源であるＡＣ１００Ｖ（５０／６０Ｈｚ）が入力されているか否かをモニターするための、緑色ＬＥＤである。
【００３６】
図６は本実施の形態に適用される電子投票機２０３の外装の一例を示す正面図（フロントドアオープン時）である。フロントドア２０３２の内部には、原本用記録媒体用スロット２０３０３、副本用記録媒体用スロット２０３０４、電源スイッチ２０３２が格納されている。投票時においては、フロントドア２０３２は、ロックブラケット２０３０ｂ部分に小型の南京錠２０３０ａにより、投票管理者が施錠を行うので、第三者が不正にフロントドア内部に触れることが禁止されている。なお、図６には図示されていないが、フロントドア開閉センサ２０３１０（図８に図示）も格納されており、不測のフロントドアの開錠を監視するための二重鍵の機能を果たしている。
【００３７】
原本用記録媒体用スロット２０３０３に装着される原本用記録媒体４０８とは、選挙人により、候補者選択確認後最初に投票データ４０７が記録される記録媒体をいう。通常は投票データ記録後、投票ログ４０７５も記録される。投票所へ送付される原本用記録媒体４０８は、一般的にデータが何も記録されていないブランクメディアであり、投票データは「ゼロ票」である必要がある。また、副本用記録媒体用スロット２０３０４に装着される副本用記録媒体４０９とは、原本用記録媒体４０８のバックアップ用として、原本用記録媒体に投票データ記録後に同一データが複写記録される媒体をいう。投票所へ送付される副本用記録媒体は、電子投票機２０３を立ち上げるための投票プログラム４０４、候補者データ４０１、投票カード認証キー４０３等のデータが供給される場合もある。これらの記録媒体として、フロッピーディスク(ＦＤ：Floppy Disk)等や、書き換え型コンパクトディスク(ＣＤ−ＲＷ：Compact Disk Rewritable)等の様々な電磁的記録媒体（電子的方式、磁気的方式その他人間の知覚によっては認識することのできない方式で作られる記録であって、電子計算機による情報処理の用に供されるものに係る記録媒体）を使用することが可能であるが、本実施例においてはメカ部不要の不揮発性メモリであるコンパクト・フラッシュ・メモリカード（ＣＦ：Compact Flash）を使用することにより、機械的な故障要因を排除することとしている。これらのコンパクト・フラッシュ・メモリカードは、コンパクト・フラッシュ・メモリカードアダプター（メモリカードソケット）を使用して、原本用記録媒体用スロット２０３０３、副本用記録媒体用スロット２０３０４に装着される。メモリカードソケットは、コンパクト・フラッシュ・タイプ１専用ＰＣＭＣＩＡ（ＰＣＭＣＩＡ：Personal Computer Memory Card International Association：PCカードの規格管理を行っている団体） インターフェースカードを使用することができる。原本用記録媒体用スロット２０３０３、副本用記録媒体用スロット２０３０４は、ダブルプッシュボタンタイプ（対メディアソケット）、すなわちメディア脱着レバーが一度目のプッシュ操作で脱着操作が有効となり、二度目のプッシュでメディアが脱着される機構タイプのもので構成されており、装着されたメモリカードを容易に脱着可能である。
【００３８】
電源スイッチ２０３２は、電子投票機２０３の、ＡＣ１００Ｖ商用電源の投入・切断を行うスイッチである。実際の電源電圧の入力状態は、電源ランプ２０３０８又は電源表示灯２０３０１ａ等で確認することができる。
【００３９】
図７は本実施の形態に適用される電子投票機２０３の外装の一例を示す背面図である。投票機２０３は、ボリューム２０３３ａ、電源ケーブル、外部ディスプレイ端子２０３０２等を有している。ボリューム２０３３ａは、上記したスピーカ２０３３の音量を調整するために用いられる。装置背面部分に、ボリューム２０３３ａを配置したのは、投票中において、選挙人がみだりにボリューム操作を行うこと防止するためである。一方、施錠されたフロントドア２０３２内部に配置しなかったのは、必要なときは投票立会人が投票プログラムを中断させることなく随時調整を行うことを可能とするためである。なお、ディスプレイユニット２０３１を使用せずに、音声ガイダンスによる投票を行う選挙人がバリアフリー用ヘッドホン２０３９１を使用する場合には、バリアフリー用ヘッドホン２０３９１をヘッドホン端子２０３９に接続した際に、スピーカ音量が自動的に切断される。ヘッドホンの音量調整は、付属の音量調整機能を用いて行う。
【００４０】
また投票機２０３は、外部ディスプレイ端子２０３０２を有している。外部ディスプレイ端子２０３０２には、例えば、頭部に装着して使用する視覚用ディスプレイであるヘッドマウントディスプレイを接続することが可能である。これは、起き上がることが困難な選挙人や、不随意運動を伴う肢体不自由の選挙人のようにディスプレイユニット２０３１を継続的に視野に入れることが難しい選挙人が、ディスプレイユニット２０３１の代わりに使用することができる。
【００４１】
図８は、本実施の形態に適用される電子投票機２０３内部のハードウェア構成の一例を示す図である。マザーボード４５０は、その基板上に、ＣＰＵ４５１（ＣＰＵ：Central Processing Unit）、ＲＯＭ４５２（ＲＯＭ：Read Only Memory）、ＲＡＭ４５３（ＲＡＭ：Random Access Memory）、各種機器を接続するためのバスやコネクタ等を有している。
【００４２】
ＲＯＭ４５２は、ＯＳとハードウェアの間のデータ受け渡しを制御する基本ソフトであるＢＩＯＳ（ＢＩＯＳ：Basic Input/Output System）を格納する。
【００４３】
ＲＡＭ４５３は、揮発性のメインメモリであり、副本用記録媒体４０９よりロードされた投票プログラム４０４や候補者データ４０１等のデータを投票の間だけ一時的に格納するＲＡＭディスクとして機能する。
【００４４】
シリコンディスク４５４（silicon disk）は、コンパクト・フラッシュ（ＣＦ：Compact Flash）メモリカードを使用したディスクメモリであり、ＩＤＥ規格（ＩＤＥ：Integrated Device Electronics）のインターフェースにより、マザーボード４５０と接続されている。シリコンディスク４５４には、ＯＳ４１１（ＯＳ：Operating System）及び各種ドライバが格納されており、システムディスクとして機能する。一般的に使用されるシステムディスクであるハードディスク(ＨＤ：Hard Disk)と異なり、磁気ヘッドのような物理的な駆動部分がないので故障率が低く、しかも高速アクセスが可能である。以下、シリコンディスク４５４をシステムディスク４５４ともいうこととする。
【００４５】
マザーボード４５０には、ＶＲＡＭ４５６及び、ＬＣＤ２０３１１がＬＶＤＳ（ＬＶＤＳ：Low Voltage Differential Signaling  高速、低消費電力の画像情報汎用インターフェース標準）により接続されている。ＬＣＤ２０３１１は、大きさが対角１５インチ（３８．１ｃｍ）のＴＦＴ液晶（ＴＦＴ：Thin Film Transistor  薄膜トランジスタ）であり、解像度１０２４×７６８ピクセル、ＲＧＢ６４階調２６万色のカラー画面を、１７０ｃｄの明るさで表示できる。
【００４６】
ＬＣＤ２０３１１上に重ねて配置された透明タブレットであるタッチパネル２０３１３は、ＲＳ−２３２規格（直列データ伝送用の標準インターフェース）によりマザーボード４５０と接続されており、大きさが対角１５インチ、分解能１０２４×１０２４の性能を有する。タッチパネル２０３１３の入力操作の検出方式は、水や埃に対する耐環境性に優れる抵抗膜方式を用いることが好ましい。なお、抵抗膜方式とは、２枚のガラスの間に設けられた電極（透明導電性基板）が指やスタイラスペンの押圧によって通電するのを電気的に検知するものである。
【００４７】
カードリーダライタ２０３２は、本実施の形態に適用される投票カード４０６または運用カード４０５の一例であるＩＣカードの読み出しまたは書込みを行う装置であり、マザーボード４５０とＲＳ−２３２インターフェースにより接続される。カードリーダライタ２０３２は、投票カード４０６又は運用カード４０５を自動で搬入及び排出を行う。カードの搬送速度は約２００ミリメートル毎秒であり、搬送時間は１／４秒である。
【００４８】
スピーカ２０３３は、音声ガイダンス用であり、非障害者、運動機能障害者共に対応する。投票機２０３のカード挿入口近傍に配置される。
【００４９】
音量調整用ボリューム２０３３ａは、スピーカ音量の調整を行う。ヘッドホンの音量には影響しない。
【００５０】
原本用記録媒体４０８又は副本用記録媒体４０９の一実施形態であるコンパクト・フラッシュ・メモリカードは、コンパクト・フラッシュ・メモリアダプタに装着され、ＰＣＭＣＩＡインターフェースにより、マザーボード４５０と接続されている。原本用記録媒体４０８には、投票データ、投票ログが記録され、副本用記録媒体４０９には、原本用データのバックアップ記録がなされる。これらのメディアのパッケージには、混同を防ぐために、各々「原本」又は「副本」に印刷表示が施されている。
【００５１】
状態表示灯２０３０１は、緑色ＬＥＤである操作表示灯２０３０１ｂ及び赤色ＬＥＤである電源表示灯２０３０１ａの２色のランプから構成されている。操作表示灯２０３０１ｂは、ＧＰＩＯ規格（ＧＰＩＯ：General Purpose Input/Output）インターフェースにより、マザーボード４５０と接続されており、投票状態の確認表示を行う。操作表示灯２０３０１ｂの表示は、ランプの点灯、消灯、点滅の３状態を用いて表現される。例えば、点灯を投票中、消灯を投票待ち受け中、点滅はエラー発生時を表すように定義する。一方、電源表示灯２０３０１ａは、直流電源（ＤＣ電源ともいう）２０３１５に接続されており、電源駆動状態の確認表示を行う。電源表示灯２０３０１ａも、同様に上記の３状態を用いて表現できる。例えば、消灯をＡＣ電源（交流電源ともいう）供給駆動中を表し、点滅をＡＣ電源供給無し、かつ外部電池２０３１６接続無し（すなわち内蔵電池２０３１４駆動中）を表し、点灯をＡＣ電源供給無し、かつ外部電池２０３１６接続駆動中などと定義する。なお、外部電池２０３１６とは、投票機２０３の外部に専用接続コネクタにて接続されるバッテリをいい、長期停電時の投票を可能にする。実施例としては、車載用バッテリが挙げられる。
【００５２】
投票確定ＬＥＤ２０３４は、選挙人による候補者選択確認後、原本用記録媒体４０８に投票データ４０７及び投票ログ４０７５が正常に記録された場合、投票データの投票確定が完了したことを選挙人に報知するための表示ＬＥＤである。投票確定ＬＥＤ２０３４は、マザーボード４５０とＧＰＩＯインターフェースにより接続されている。投票確定ＬＥＤ２０３４が、点灯保持状態のときは、投票データの原本用記録媒体への正常記録時を表し、消灯状態のときは投票カード抜き取り時を表すように定義する。投票確定ＬＥＤ２０３４は、ハードウェア制御により点灯及び消灯を行うため、たとえ投票操作中にソフトウェアに起因するハングアップ等の不測の障害が発生した場合においても点灯状態が保存され、エラー発生時点で投票が完了していたか否かを明らかにすることが可能である。このように本発明の電子投票機２０３には、投票管理者や操作者のためにＬＣＤ２０３１１による画面表示以外に動作状態を示す表示機能が備わっている。これらの表示状態は、ＧＰＩＯでラッチされているため、投票プログラム４０４が停止状態であっても、電源が通電状態であり、回路が動作していれば、その情報は保存される。ただし、投票プログラム４０４の暴走により、ラッチアドレスへの不正アクセスが発生する可能性は存在する。
【００５３】
カードガイドＬＥＤ２０３２ａは、カードリーダライタ２０３２のカード挿入口に複数個配置され、投票カード４０６及び運用カード４０５の挿入又は抜き取りの案内を選挙人に対して行うためのＬＥＤである。カードガイドＬＥＤ２０３２ａは、マザーボード４５０とＧＰＩＯインターフェースにより並列接続されている。カードガイドＬＥＤ２０３２ａは、点灯状態が、ＩＣカード挿入中を表し、点滅状態が、ＩＣカード挿入待ち状態を表す。
【００５４】
電源ＬＥＤ２０３０８（ＡＣ入力確認用ＬＥＤともいう）は、ＡＣ電源（日本国内の商用交流電源にあっては交流１００Ｖ、周波数５０Ｈｚ又は６０Ｈｚのもの）が供給されていることを監視するためのＬＥＤである。電源ＬＥＤ２０３０８は、直流電源２０３１５とＧＰＩＯインターフェースにより接続され、直流電源２０３１５に対して入力されるＡＣ電源の電圧を監視する。電源ＬＥＤ２０３０８は、点灯状態がＡＣ電源供給時、消灯状態がＡＣ電源断時を表す。
【００５５】
ジャンクション基板４５５（ジャンクションボードともいう）は、マザーボード４５０とＲＳ−２３２インターフェースにより接続されている。ジャンクション基板とは、基板上にバリアフリー対応の専用キーボード、又はヘッドホン若しくはプッシュスイッチ等を接続することにより、通信制御やデータ通信を行う専用基板である。ジャンクション基板４５５上には、運動機能障害用プッシュスイッチ端子２０３７、視覚障害者用専用キーボード端子２０３８、ヘッドホン端子２０３９が配置され、バリアフリー対応のオプション装置を接続することができる。運動機能障害用プッシュスイッチ端子２０３７には、電子投票機２０３のタッチパネル２０３１３による入力が困難な、運動機能障害を有する選挙人が対象とした入力機器である３．５φメーク接点式のプッシュスイッチが接続される。当該選挙人は、当該プッシュスイッチを使用して、スキャン画面（選択項目が自動的に順次切り替わる投票画面）に従い投票を行うことができる。視覚障害者用専用キーボード端子２０３８及びヘッドホン端子２０３９には、視覚障害者用専用キーボード２０３８１及び音量調整付きヘッドホン２０３９１が各々接続される。視覚障害を有する選挙人は、机または手に持って入力可能な専用キーボード２０３８１と音声投票用ガイダンスの音量調整付きヘッドホン２０３９１の併用により、音声投票を行うことができる。視覚障害者対応の音声投票用キーボード（運動機能障害者対応兼用）は、点字が施された６個のファンクションキー（○、×、←、→、△、平たいボタン）から構成され、上下・左右共に２６ｍｍピッチを有する。ジャンクション基板４５５上のヘッドホン端子２０３９に音量調整付ヘッドホン２０３９１が接続された場合には、スピーカ２０３３への接続が自動的に切断される。
【００５６】
ＣＬＯＣＫ４５７（内蔵時計ともいう）は、マザーボード４５０上に装着された時計モジュールである。ＣＬＯＣＫ４５７による時刻の情報は、例えば、投票の監査記録（監査証跡）として、投票操作を含む動作状態を記録した投票ログ４０７５を作成する際に使用する。
【００５７】
図９は、本実施の形態に適用される電子投票機２０３内部のＲＡＭ４５３内部のデータ構造の一例を示す図である。ＲＡＭ４５３は、投票が行われている間、投票プログラム４０４を一時的に格納する投票プログラム領域４０４ｂを有する。投票プログラム４０４は、選挙データ作成システム１００における選挙データメディアコピー機１０２において、選挙データマスター４００から副本用記録媒体４０９に複製されて、投票所システム２００に配布されたものである。副本用記録媒体４０９が、副本用記録媒体用スロット２０３０３を介して投票機２０３に装着されると、プログラムローダー４３６により、投票プログラム４０４がＲＡＭ４５３上の投票プログラム領域４０４ｂにロードされる。
【００５８】
ＲＡＭ４５３は、候補者データ４０１を格納する候補者データ領域４０１ｂを有する。
【００５９】
ＲＡＭ４５３は、投票カード４０６及び運用カード４０５の読取に係る認証キー４０３を格納する認証キー領域４０３ｂを有する。
【００６０】
ＲＡＭ４５３は、発券機２０１が発行した乱数である投票所ＩＤを格納する投票所ＩＤ領域４０５５ｂを有する。
【００６１】
ＲＡＭ４５３は、選挙人による投票データ４０７が原本用記録媒体４０８及び副本用記録媒体４０９に記録されて照合が行われるまでの間、一時的に投票データ４０７を格納する投票データ領域４０７ｂを有する。このキャッシュ領域は、固定されたアドレスに存在するわけではない。空きのある番地に適宜割り振られる。
【００６２】
ＲＡＭ４５３は、投票ログ４０７５を格納する投票ログ領域４０７５ｂを有する。
【００６３】
ＲＡＭ４５３は、後述するシステムディスクに記録されたＯＳ４１１及びドライバ、投票プログラム４０４、候補者データ４０１等を複製して格納するローカルディスク領域４０７５ｂを有する。
【００６４】
図１０は、本実施の形態に適用される電子投票機２０３内部のシステムディスクとして用いられるシリコンディスク４５４内部のデータ構造の一例を示す図である。
【００６５】
同図に図示するシリコンディスク４５４は、プログラムローダー４３６を格納する領域を有する。プログラムローダー４３６は、投票プログラム４０４を副本用記録媒体４０９よりロードするプログラムである。
【００６６】
シリコンディスク４５４は、投票機シリアル番号記録部２０３ｓを格納する領域を有する。
【００６７】
シリコンディスク４５４は、Ｉ／Ｏ制御部４１２を格納する領域を有する。Ｉ／Ｏ制御部４１２は、データの入出力の際、データを１ビットずつ連続的に入力又は出力する制御を行うためのプログラムである。
【００６８】
シリコンディスク４５４は、ウインドウ制御部４１３を格納する領域を有する。ウインドウ制御部４１３ は、タッチパネルＬＣＤ２０３１などに表示される画面の中で、枠などによって区切られた表示部分の管理を行うためのプログラムである。
【００６９】
シリコンディスク４５４は、ファイル制御部４１４を格納する領域を有する。ファイル制御部４１４は、ファイルの登録、追加、修正、削除などのファイル保守、特定ファイルへのアクセスを制限するファイル保護などを行うためのプログラムである。
【００７０】
シリコンディスク４５４は、カード制御部４１５を格納する領域を有する。カード制御部４１５は、カード発券機２０１が発行した投票カード４０６または運用カード４０５の搬入、搬出及び、読取り及び書き込みなどを制御するためのプログラムである。
【００７１】
シリコンディスク４５４は、タッチパネル制御部４１６を格納する領域を有する。タッチパネル制御部４１６ は、タッチパネル２０３１３上でのタッチパネルからの入力を制御するためのプログラムである。
【００７２】
シリコンディスク４５４は、ジャンクション基板制御部４１８を格納する領域を有する。ジャンクションボックス制御部４１８は、バリアフリー対応入出力機器接続端子２０３７、２０３８、２０３９、２０３０２を介して電子投票機２０３に接続される各種の外部入出力装置を制御するためのプログラムである。
【００７３】
シリコンディスク４５４は、ＯＳ４１１を格納する領域を有する。ＯＳ４１１は、特に限定されるものではないが、例えば、米国マイクロソフト社製ＯＳである、ウィンドウズ（登録商標）ＮＴエンベデッド（Windows（登録商標）NT Embedded）を使用することが可能である。このＯＳ４１１は、機器制御に特化した組み込み型ＯＳであり、マウスやキーボードなどの外部入力装置がない状態でも動作することが可能である。そして、シリコンディスクに記録されたＯＳその他のシステムディスクをＲＡＭ４５３のローカルディスク領域４５４ｂ上にコピーして動作させることが可能である。
【００７４】
なお、シリコンディスク４５４は、工場出荷時に、必要なプログラムデータと固有の機器管理用シリアル番号である投票機シリアル番号記録部２０３ｓを書き込み後、ライトフィルター処理され、読み出し専用メモリ（ＲＯＭ）となる。本処理により、電子投票機２０３でのシステムディスクの書き換えはできないこととなる。
【００７５】
図１１は、本実施の形態に適用される電子投票機２０３内部のＲＡＭ４５３に、副本用記録媒体４０９よりロードされて格納される投票プログラム４０４の構造の一例を示す図である。
【００７６】
投票プログラム４０４は、カード読取部４３１を有する。カード読取部４３１は、ＩＣカードなどの形態で提供される投票カード４０６又は運用カード４０５が、カード記録読取手段２０３２に搬入された後、カードに記録されたデータを読み取るのを制御するためのプログラムである。
【００７７】
投票プログラム４０４は、候補者データ読取部４３２を有する。候補者データ読取部４３２は、ＲＡＭ４５３上に格納された候補者データ４１５を構成するデータベース（図１２〜図１８において後述する）の電子的な読取を制御するためのプログラムである。
【００７８】
投票プログラム４０４は、投票画面作成部４３３を有する。投票画面作成部４３３は、選挙人が投票を行う際にＬＣＤ２０３１１に表示される画面の作成を制御するためのプログラムである。画面作成に必要な候補者情報又はレイアウトの情報は、候補者データ４０１に含まれる後述するデータベース（後述する図１６における固定画面レイアウトテーブル４０１ｄ、及び図１７における投票画面レイアウトテーブル４０１ｅ）上から読み取られる。
【００７９】
投票プログラム４０４は、投票データ記録部４３４を有する。投票データ記録部４３４は、選挙人の投票データ４０７（投票結果）を、可搬性のある電磁的記録媒体に記録することを制御するためのプログラムである。すなわち、投票データ記録部４３４は、ＲＡＭ４５３の投票データ領域４０７ｂに読み込まれた投票データ４０７を原本用記録媒体４０８に記録した後に、ＲＡＭ４５３との照合を行い、さらに副本用記録媒体４０９に複写を行う。原本、副本の二つの記録媒体に投票データを保存するにあたっては、媒体毎に独立して、ファイルオープン→データ書き込み →ファイルクローズ →キャッシュはき出しを行い、記録を確定させる。このように同時に二つの記録媒体がアクティブな状態を無くすことで、障害時には、最悪いずれか一つの記録媒体のデータを確保することができる。
【００８０】
投票プログラム４０４は、投票制御部４３５を有する。投票制御部４３５は、選挙人が、投票操作することによる、投票画面の切り替えを制御するためのプログラムである。投票画面には、投票可能な候補者を一覧表示する候補者選択画面（図３４に図示）、選挙人が仮選択した候補者を表示し投票意思の確認を行う投票意思確認画面（図３６に図示）等がある。
【００８１】
なお、投票プログラム４０４は、ＯＳ４１１としてウィンドウズ（登録商標）を用いる場合には、このＯＳ４１１に依存する簡易プログラミング言語であるビジュアル・ベーシック（Visual Basic）を使用して作成するのが便利である。
【００８２】
また、投票プログラム４０４は、電磁的記録媒体（副本用記録媒体４０９）を介して供給されるアプリケーションプログラムであって、電子投票機２０３への常駐は出来ず、電源投入毎にプログラムローダー４３６によりＲＡＭディスク４５３に新たにロードされる。投票プログラム４０４の供給形態は、適当な圧縮形式ファイルであり、電磁的記録媒体よりロードするにあたり、プログラムローダー４３６により、同プログラムの正当性確認を行うことで改ざんの有無を確認する。正当性の確認は、誤り検出用符号の算出比較により実施する。プログラムロード後、更に圧縮解凍処理時のＣＲＣチェック等の確認により、エラー検出を行う。
【００８３】
図１２は、本実施の形態に適用される電子投票機２０３内部のＲＡＭ４５３に格納される候補者データ４０１の構造の一例を示す図である。候補者データ４０１は、テキスト形式のファイルとして存在する６種類のテーブル（表）から構成されている。すなわち、第１に実施選挙の種類を識別する選挙ＩＤ毎に存在する候補者テーブル４０１ａ１〜４０１ａｎ、第２に政党テーブル４０１ｂ、第３に投票所グループテーブル４０１ｃ、第４に固定画面レイアウトテーブル４０１ｄ、第５に選挙ＩＤ毎に存在する投票画面レイアウトテーブル４０１ｅ１から４０１ｅｎ、第６に表示メッセージテーブル４０１ｆが互いに関連付けられたリレーショナルデータベース（ＲＤＢ：Relational Data Base）の構造を有する。さらに、これらのテーブルから参照されるバイナリ形式のファイルである画像ファイル（候補者画像データや政党画像データ）及び音声ファイル（音声ガイドデータ等）が存在する。これらは、各々のテーブルの中から、ファイルの相対位置（パス）を参照することにより関連付けられている。バイナリファイルの参照方法は、あらかじめ指定されたディレクトリに存在する音声または画像ファイルに対しては、テーブルのフィールド部にファイル名を指定することで参照することができる。ディレクトリによるファイル管理は、基本ソフトであるＯＳの機能を利用する。
【００８４】
図１３は、本実施の形態に適用される候補者データ４０１を構成する候補者テーブル４０１ａ１（選挙ＩＤ＝１用）の一例を示す図である。投票所テーブル４０１ｃは、候補者を識別する候補者ＩＤ、立候補届出名、候補者名ふりがな、出身地、所属する政党を識別する政党ＩＤ等のフィールドを有するテーブルとして構成されている。例えば、候補者ＩＤのフィールドの値が「００００１」であるレコードは、立候補届出名が「木戸  孝允」、候補者名ふりがな「きど  たかよし」、出身地「山口県」、政党ＩＤ「００２」という一連のデータを格納する。
【００８５】
図１４は、本実施の形態に適用される候補者データ４０１を構成する政党テーブル４０１ｂの一例を示す図である。政党テーブル４０１ｂは、政党ＩＤ、言語ＩＤ、政党名等のフィールドを有している。例えば、政党ＩＤのフィールド値が「００２」であるレコードは、政党名が「長州党」であり、上記した木戸孝允が長州党に所属することを意味する。政党ＩＤのフィールドは、データベース技術における主キーと呼ばれるものであって、図１３における政党ＩＤのフィールドとリレーションシップがとられている。
【００８６】
図１５は、本実施の形態に適用される候補者データ４０１を構成する投票所グループテーブル４０１ｃの一例を示す図である。投票所グループテーブル４０１ｃは、選挙の種類を識別する選挙ＩＤ及び選挙名、選挙区を識別する選挙区ＩＤ及び選挙区名等のフィールドを有している。選挙ＩＤのフィールドは、投票カード４０６に記録された投票可能な選挙ＩＤの値を投票プログラム４０４が読み込んだ際に、必要な選挙ＩＤのレコードのみが抽出され、使用されることとなる。
【００８７】
図１６は、本実施の形態に適用される候補者データ４０１を構成する固定画面レイアウトテーブル４０１ｄの一例を示す図である。固定画面レイアウトテーブルは、選挙の種類に無関係な共通の画面レイアウトを規程するためのテーブルである。図１５に図示する固定画面レイアウトテーブル４０１ｄは、選挙人（投票者）の身体的な障害の種類を識別する選挙人特性ＩＤ２０２１のフィールドを有している。そして、選挙人特性ＩＤ毎のレコードにおいて、表示画面の種類を識別する画面ＩＤ、画面の機能を識別する機能ＩＤ、表示色を規定する前面色及び背景色、表示文字の書体、サイズ、表示するオブジェクトの水平座標、及び垂直座標等のレイアウトのデータを格納するフィールドを有している。図１６に図示する画面ＩＤフィールドは、選挙の種類（すなわち選挙ＩＤ）によって全く異なる画面を、その都度作成するのではなく、少数個からなる共通画面の基本レイアウトを規定するためのフィールドである。そして、この共通の基本レイアウトをベースとしたバリエーションを、色やサイズ、座標、位置合わせ情報などを規定するフィールドで実現している。本実施形態による基本レイアウトとしては、単頁用候補者選択画面、候補者確認画面、候補者選択方式確認画面、候補者番号入力画面、候補者選択頁案内画面、棄権確認画面、複数頁用候補選択画面の７種類のレイアウトで十分である。例えば、単記式候補者選挙における候補者選択画面と拘束名簿式比例代表選挙における政党選択画面は、同一の画面ＩＤを用いて、作成することができる。このように、少数の固定画面を共通化することにより、候補者画面作成が極めて容易になり、選管による候補者データ作成の事務の作業負担を軽減することができる。
【００８８】
図１７は、本実施の形態に適用される候補者データ４０１を構成する投票画面レイアウトテーブル４０１ｅ１（選挙ＩＤ＝１用）の一例を示す図である。投票画面レイアウトデータベース４０１ｅ１は、選挙の種類や、画面に表示すべき立候補者の数、あるいは選挙人特性ＩＤの値によって、異なる画面のレイアウトを規定するためのテーブルである。投票画面レイアウトテーブルは、選挙人特性ＩＤ、画面ＩＤ、機能ＩＤ、前景色、背景色、サイズ、水平座標、垂直座標等のフィールドを有している。テーブルは、投票カード４０６に記録された実施可能な選挙ＩＤに基づいて必要な投票画面レイアウトテーブルを選択し、さらに選挙人特性ＩＤに基づいて、選挙人の障害毎に適した画面レイアウトを規定する。
【００８９】
図１８は、本実施の形態に適用される候補者データ４０１を構成する表示メッセージテーブル４０１ｆの一例を示す図である。表示メッセージテーブル４０１ｆは、候補者テーブル４０１ａ１又は政党テーブル４０１ｂ若しくは投票所グループテーブル４０１ｃに格納されてない文字列であって、画面に表示すべきものを規定する。例えば、投票プログラム４０４により、メッセージＩＤ「００００１」のレコードが参照されたときは「投票カードをいれてください。」というメッセージを画面に表示し、選挙人に対して投票カード４０６を投票機２０３に挿入することを促すことができる。
【００９０】
図１９は、本実施の形態に適用される電子投票機２０３内部に格納される原本用記録媒体４０８のデータ構造の一例を示す図である。原本用記録媒体４０８とは、選挙人により、候補者選択確認後最初に投票データ４０７が記録される記録媒体を指す。本実施形態においては、投票データの記録後に、投票ログ４０７５も記録される。投票所へ送付される原本用記録媒体４０８は、一般的にデータが何も記録されていないブランクメディアであり、投票データは「ゼロ票」である必要がある。投票データは、投票の秘密保持のため、投票データがランダムな順序で記録される。例えば、８番目の投票者の投票データ４０７及び投票ログ４０７５を格納する投票データ８領域及び投票ログ８領域の隣の領域には、２番目の投票者の投票データ４０７及び投票ログ４０７５を格納する投票データ２領域及び投票ログ２領域が割当てられる。
【００９１】
図２０は、本実施の形態に適用される電子投票機２０３内部に格納される副本用記録媒体４０９のデータ構造の一例を示す図である。副本用記録媒体４０９には、選管から配布される投票プログラム４０４、候補者データ４０１、カード認証キー４０３を格納する領域を有している。これらは、上記したように投票機のＲＡＭ４３５にコピーされ用を果たすが、その後もデータは格納されている。そして、原本用記録媒体の投票データ４０７の複製が、これらに追記される形で記録される。
【００９２】
ところで図１９及び図２０のデータ構造を有する原本用記録媒体４０８及び副本用記録媒体４０９は、電子投票における選挙人がいずれの候補者を選択したかの情報を記録する際に、人間の知覚をもってしては認識不可能な方法で記録され、従来の投票用紙による票と形態を異にするものである。電子投票における票を記録する記録媒体は、選挙人による投票情報が電子的又は磁気的又はその他の方式で記録され、コンピュータによる情報処理が可能な記録媒体である。記録媒体の具体的態様としては、フラッシュメモリが内蔵されたコンパクトフラッシュ（登録商標） (ＣＦ: Compact Flash)カードなどが挙げられる。他の規格のメモリカード（ＳＤメモリーカード(SD Memory Card)、スマートメディア（登録商標）（Smart Media（登録商標））、メモリースティック(Memory Stick)など）を用いてもよい。メモリカードは、ハードディスクなどに比べて軽量であり、かつ振動に強いためデータの搬送性、保存性に優れ、しかも安価である。もちろん、電磁的記録媒体として、フロッピー（登録商標）ディスク（ＦＤ）、光ディスク（ＣＤ、ＤＶＤ）や光磁気ディスク（ＭＯ）などが使用可能であることはいうまでもない。
【００９３】
本実施形態では、１台の電子投票機に対して２枚のメモリカード（原本用記録媒体４０８、副本用記録媒体４０９）を使用する。本実施形態においては、これらは、選挙実施前において、選挙データ作成システム１００から投票所システム２００の電子投票機２０３に対して選挙に必要なデータを搬送する際の担体としての機能を果たす。そして、投票中においては電子投票機２０３に装着され、従来の投票用紙の代替物としての機能、すなわち選挙人が投票する候補者名を電磁的なデータとして確実に記録し保持する機能を有する。そして、投票後においては、投票所システム２００から開票所システム３００に投票データ４０７を搬送する際の担体としての機能を有する。
【００９４】
なお、将来法改正がなされた場合において、本発明をネットワーク型システムとして実施する場合には、電磁的記録媒体４０８、４０９は、選挙データ作成システム、投票所システム、開票所システムの各拠点において、ネットワーク送信を行う前に、データを拠点内で一時的に記録し、蓄積する機能を有する。本発明における電磁的記録媒体を用いないネットワーク型システムに比較して、ネットワーク障害に対するデータ消失の危険性が極めて低くなる。
【００９５】
図２１は、本実施の形態に適用される電子投票機２０３内部に挿入される投票カード４０６又は運用カード４０５のデータ構造の一例を示す図である。投票カード４０６又は運用カード４０５には、カードに記録されたデータへのアクセス認証を行う鍵であるカード認証キー４０３が格納され、電子投票機２０３のＲＡＭ４３５に記憶されたカード認証キーにより認証が成功した場合にのみ、内部のデータの読み書きが可能となるように構成される。投票カード４０６又は運用カード４０５の内部には、以下のデータが記録されている。すなわち、市区町村ＩＤ、選挙人の障害の種類を示す選挙人特性ＩＤ２０２１、電子投票機２０３が表示する言語の種類を区別する言語区分、投票所に固有のＩＤである投票所ＩＤ、指定投票所における投票又は不在者投票若しくは巡回投票等を識別する投票種別、カード発券機２０１により発行された発券年月日、複数の選挙を同日に行う場合の選挙の数である選挙可能件数、実施される選挙の各々（選挙ＩＤ＝１、２〜ｍ、ｎとして図示）に対して投票権利が有るか未発券かを識別する投票フラグ２０２２等のデータを格納する。
【００９６】
選挙人特性ＩＤは、選挙人名簿に基づいて作成され選挙人に予め郵送された入場整理券の選挙人特性欄の記載に基づいて、投票所の係員が、投票カードを発行する際に記録される。例えば、選挙人特性欄に視覚障害者の記載がある選挙人に対しては、投票カード４０６には、視覚障害者であることを示す選挙人特性ＩＤ＝０１が記録される。この選挙人がこの投票カード４０６を電子投票機２０３に挿入した場合、投票プログラム４０４が当該選挙人特性ＩＤ２０２１を読み取って、対応する候補者データ４０１をデータベースから参照することにより、視覚障害者用の表示入力モードにより投票を行うことが可能となる。
【００９７】
なお、投票カード４０６又は運用カード４０５のメディアは、ＩＣカード（ＩＣ：Integrated Circuit）を用いることにより、他の記録方式のカードに比較して多くの情報を、しかもデータのアクセス権を設定したりデータ自体をＴＤＥＳ（ＴＤＥＳ：Triple Data Encryption Standard）等により暗号化したりすることにより安全に蓄積することが可能である。もちろんＩＣカードの代わりに、磁気カードを使用することも可能であるし、また光記録媒体を使用することも可能である。また、計算機ホログラム（ＣＧＨ：Computer Generated Hologram）の不可逆記録とＩＣカードのハイブリッドカードを用いることも可能である。また、電子ペーパーとして知られた液晶記録媒体に対して記録を行うことも可能である。あるいは紙による印字媒体に記録された文字又はバーコードを光学的に読み取るＯＭＲ方式（ＯＭＲ：Optical Mark Reader）を用いてもよい。
【００９８】
この投票カード４０６には、憲法１５条に定められた投票の秘密を守るため、投票カード４０６を使用する選挙人を特定可能であるような個人情報は一切記録されていない。したがって、投票カードとして、住民基本台帳カード（住民カード、住基カードともいう）のような個人情報が記録されたカードを利用する場合には、電子投票機２０３が生成する投票データが、個人情報を読み取らないことを保障するような機能が必要になる。
【００９９】
図２２は、本実施の形態に適用される投票カード４０６に記録される投票フラグ２０２２のデータ構造の一例を示す図である。投票フラグ２０２２は、投票権利の有無の識別子（トークン）であって、従来においては、投票可能か、投票済みかの値によって二重投票を防止することが行われてきた。ところが、このような従来のトークンは投票カード読取のエラーが発生した際の対処が複雑になるという問題があった。すなわち、選挙人が候補者を選択して確認ボタンに触れて原本用記録媒体４０８には投票データは記録されたものの、投票カードに投票済みのフラグの記録する際に書込みエラーが発生した場合、果たして投票確定か否かを直ちに判断することが困難になることである。そこで、本発明では、投票フラグとして投票済みのフラグを用いることを廃し、投票可能状態、およびカード未発券の２種類のみとした。つまり、投票済みかどうかの判断は投票カード４０６では行わず、投票確定ＬＥＤ２０３４によりハードウェア的に行うこととしている。そして、二重投票防止の措置として、投票可能であるフラグを確認した後に、投票機内部で投票カードの初期化を行って排出し、再使用不可能とした。さて、図２２に図示するように、選挙ＩＤ＝１の投票フラグである２０２２ａには「投票可能」が、そして選挙ＩＤ＝３の投票フラグ２０２２ｂには「未発券」が、同様に選挙ＩＤ＝３の投票フラグ２０２２ｃには「投票可能」が記録されている。投票プログラム４０４のカード読取部４３１（図２３において詳述する）において、これらの情報を読み取ると、この選挙人が投票できる選挙が選挙ＩＤ＝１及び選挙ＩＤ＝３であると判断する。そして、候補者データ読取部４３２によりこれらの選挙ＩＤに対応する候補者データ４０１をデータベースの各テーブルから抽出して、投票画面作成部４３３により、候補者数等に応じた画面レイアウトを決定し、図３４に図示するような候補者選択画面を表示する。なお、本発明に係る投票カード４０６は、投票権利を有する選挙人に対して発券するものであるが、不正投票を排除するため、発券後に投票カードの記録情報により投票権利の有無を確認する用途には用いない。電子投票機２０３では、障害発生時に可能な限り投票権利の有無についての情報を表示する。
【０１００】
図２１及び図２２に図示する投票カード４０６又は運用カード４０５が格納するデータは、７ビットのアスキーコード（ASCII: American Standard Code for Information Interchange、情報交換用米国標準コード）として記録されている。例えば、選挙人特性ＩＤ２０２１が「３０」というアスキーコードとして記録されている場合には、図３９に図示する選挙人特性ＩＤ２０２１が「００」、すなわち非障害者を意味する。また、投票フラグ２０２２は、投票可能か否かを示すものであるが、１０進数で表したときの０が未発券、１が投票可能な状態であると規定したとすると、例えばアスキーコードでは選挙ＩＤ１に対する投票フラグの「３１」は、投票可能な状態を意味する。なお、投票カード上のデータは全部で２５６バイトのデータから構成されている。
【０１０１】
図２３は、本実施の形態に適用される投票プログラム４０４を構成するカード読取部４３１の処理の流れの一例を示すフローチャートである。このフローチャートにより実現されるコンピュータプログラムは、投票カード４０６または運用カード４０５であるＩＣカードの読取処理を行うサブルーチンプログラムである。このルーチンの初期状態においては、投票機２０３のカード記録読取手段２０３２（カードリーダライタ）の近傍に配置されているカードガイドＬＥＤ２０３２ａが点滅している（ステップＡ１）。そして、カードリーダライタ２０３２内にＩＣカードが挿入されたか否かを確認するステップを有する（ステップＡ２）。投票者が投票カード４０６を投票機２０３に挿入し、ＩＣカードがカードリーダライタ２０３２内に存在することが確認されると（ステップＡ３における「ＹＥＳ」）、次のステップＡ４において、投票機２０３から投票カード４０６上のＩＣチップに対して、全投票所共通のコードであるカード認証キー４０３が送信され、ＩＣチップ内で受信した投票機２０３からのカード認証キーとカード発券機２０１によりＩＣチップに予め記録されたカード認証キーとを照合し、カードデータへのアクセス権限の認証を行う。２つの認証キーが一致して認証に成功した場合（ステップＡ５における「ＹＥＳ」）、次のステップに移りカード種別の読取りを行う（ステップＡ６）。もし、認証が拒否された場合（ステップＡ５における「ＮＯ」）、投票機２０３がエラー発生画面を表示し（ステップＡ２３）、投票カード４０６をリーダライタ２０３２から排出する（ステップＡ２４）。排出されたカードは、投票所の係員により回収され、カードが投票カード４０６である場合には、投票者はカード再発行等の適切な処置を受ける。なお、エラー発生は、投票所内で投票機２０３から離れた場所から投票の様子を監視する投票立会人に対し、状態表示ランプ２０３０１（状態表示灯、警告灯ともいう）により、視覚的に報知される。
【０１０２】
さて、ステップＡ５におけるカード認証が成功した場合（ステップＡ５における「ＹＥＳ」）、ステップＡ６においてカード種別の読取処理を行う。読取可能なカード種別は、投票カードと運用カードの２種類であり、カード内の所定のカード種別記録領域に記録された識別コード（図２１に「カード種別ＩＤ」として図示）を読み取る。
【０１０３】
以下、図２３におけるカード種別ＩＤの読取りのステップにおいて、投票カード４０６であることが読み取られた場合（ステップＡ７における「ＹＥＳ」）の流れを説明する。挿入されたカードの種別が投票カード４０６であることが読み取られると、ステップＡ８において、投票所ＩＤ（管理識別ＩＤ、管理ＩＤ、あるいは乱数ともいう）４０５５の読取処理を行う。読み取られた投票所ＩＤが、投票機２０３のＲＡＭ４５３に予め記憶させた投票所ＩＤと一致した場合（ステップＡ９における「ＹＥＳ」）、次の投票権利を確認する次のステップ（Ａ１０）に移る。次のステップでは、図６に図示する投票フラグ２０２２の読取りが行われる（ステップＡ１０）。投票フラグ２０２２とは（同日に複数の選挙を実施する場合において）、投票者が選挙の投票権利を有するか否かを識別するコードである。例えば、「０」が未発券、「１」が投票可能な状態であると規定することができる。投票フラグ２０２２の読み取りが正常に行われた場合において（ステップＡ１１における「ＹＥＳ」）、投票フラグ２０２２が「１」投票可能状態である、すなわち投票者が当該選挙に対して未投票であることが読み取られると、投票の態様を規定する次のステップ（Ａ１３）に移行する。ステップＡ１３では、投票カード４０６をカード発券機２０１で発券する際に、選挙人名簿に基づいて投票カード４０６に記録された投票者（選挙人）の身体的な障害の特性を示すコード（選挙人特性ＩＤ２０２１、図３９に図示）の読取りが行われる。選挙人特性ＩＤとは、換言すれば、投票者が、投票機２０３を用いて行う入力手段（タッチパネル２０３１３、視覚障害者用専用キーボード２０３８１、運動機能障害用プッシュスイッチ２０３７１等）及び表示手段（ＬＣＤ２０３１１、ヘッドマウントディスプレイ、点字ディスプレイ、音声ガイド等）を規定するコードである。選挙人特性ＩＤ２０２２の値に対する条件分岐を示すステップ（ステップＡ１４）において、選挙人特性ＩＤが００、すなわち非障害（健常者）であったとすると、入力手段としてタッチパネル２０３１３、表示手段としてＬＣＤ２０３１１が選択され、使用可能かどうかの確認処理を行う（ステップＳ１５ａ）。また、選挙人特性ＩＤが０２、すなわち視覚障害者であった場合には、ステップＡ１５ｃにおいて、入力手段として視覚障害者用専用キーボード２０３８１と表示手段として音量調整付きヘッドホン２０３９１が選択される。このように、投票カード４０６に記録された投票者の選挙人特性ＩＤに対応する入出力機器が使用可能かどうかチェックされると、次のステップＡ１６において、投票カード４０６の初期化処理が行われる。このステップは、使用済みの投票カードの再使用による二重投票の防止に万全を期すために、投票カードのデータ記録領域を再フォーマットすることにより、全データを抹消するステップである。以上により、カード種別読取のステップＡ４〜Ａ５において投票カード４０６であることが読み取られた場合のカード読取ルーチンは終了する。
【０１０４】
次に、カード種別読取のステップＡ４〜Ａ５において、投票機２０３に挿入されたカードが投票カード４０６でないことが読み取られ（ステップＡ５における「ＮＯ」）、運用カード（管理者カードともいう）４０５であることが読み取られた場合のステップについて説明する。この処理は、投票日当日の投票開始時刻の前にカード発券機２０１によって発券された運用カード４０５を用いて行うことが好ましい。まず、カード種別ＩＤが運用カード４０５である場合は、ステップＡ１８において、投票所ＩＤ４０５５の読取が行われる。投票所ＩＤが読み取られた場合（ステップＡ１９における「ＹＥＳ」）、投票所ＩＤ４０５５は、投票機２０３のＲＡＭ４３５の投票所ＩＤ領域４０５５ｂのアドレスに格納される（ステップＡ２０）。そして、投票所ＩＤが投票機に登録されたことを投票管理者に報知する画面が表示され（ステップＡ２１）、運用カードの排出処理が行われる（Ａ２２）。以後、本投票機２０３は、この投票所ＩＤが記録された投票カード４０６のみを受付可能となる。したがって、他の投票所のカード発券機で発行されたカードや、偽造・変造が行われたカードでは、投票を行うことが不可能となる。
【０１０５】
図２４は、本実施の形態に適用される投票プログラム４０４を構成する投票データ記録部４３４の処理の流れの一例を示すフローチャートである。投票プログラム４０４は、投票データ４０７、投票ログ４０７５を原本、副本の２つの記録媒体に二重化して記録し、記録にあたっては、２つの媒体を独立してアクセスすることで、障害発生時においても、いずれかの投票データが確保されるよう設計することが好ましい。投票プログラム４０４の投票画面作成部４３３によりＬＣＤ２０３１１上に表示される画面（図３２〜図３７に一実施例を図示）を投票者が操作して、投票したい候補者を確定するボタン（図３７に図示する「○投票します」ボタン）を押下され、投票の内容がＲＡＭ４５３に内部記憶されたときは、投票データ記録部４３４のサブルーチンがコールされ、以下のステップを有する投票データ記録処理が開始される。
【０１０６】
すなわち、ステップＤ１において、原本用記録媒体４０８上の投票ログ格納用ファイルがオープンされ、ステップＤ２において、原本用記録媒体に投票開始ログが記録される。投票開始ログとは、例えば「原本への記録を開始」のような文字列である。投票開始ログの記録が終了すると、ファイルクローズされ（ステップＤ３）、次のステップＤ４において、原本用記録媒体４０８上の投票データ格納用のファイルがオープンされる。そして、ステップＤ５において、原本用記録媒体上にオープンされたファイルに対して、ＲＡＭ４５３に内部記憶された投票の内容を書き込む。書込みは、ＲＡＭ４５３内部の図示しないキャッシュ領域を使用して高速な書込みが行われる。書込みが終了するとファイルをクローズし、投票データを有するファイルが生成される（ステップＤ６）。さらに、ステップＤ７〜Ｄ９において、原本用記録媒体４０８上に投票終了ログ（例えば「原本への記録を終了」のような文字列）の書込みも行う。原本用記録媒体４０８に対して投票データ４０７及び投票ログ４０７５の書込みが終了すると、ステップＤ１０においてキャッシュの吐き出し（ダンプ）を待機した後に、次のステップに移る。
【０１０７】
ステップＤ１１〜Ｄ１８は、原本用記録媒体４０８に最初に記録された投票データ４０７の照合（ベリファイ）を行うステップである。すなわち、ステップＤ１１において、原本用記録媒体４０８の投票データ格納用ファイル（ステップＤ６でファイルクローズを行ったファイル）がオープンされ、ステップＤ１２において、ファイル内の投票データ４０７の読み出しが行われる。読み出された投票データ４０７は、ステップＤ１３において、ＲＡＭ４５３の図示しない作業領域に記憶され、投票プログラム４０４が管理するメモリ空間に記憶された投票データと比較、照合が行われる。ステップＤ１４の条件分岐において、照合が正常になされた場合には（ステップＤ１４の「ＹＥＳ」）、次のステップＤ１５に移る。もし、照合が正常に行われなかった場合には、投票データの書込み障害が発生したことを示すエラー画面をＬＣＤ２０３１１に出力するとともに、操作表示灯２０３０１ｂに点滅信号を出力する。照合が成功した後のステップＤ１５〜Ｄ１８においては、原本用記録媒体４０８に記録された投票ログの照合が同様なプロセスで行われる。
【０１０８】
ステップＤ１８の条件分岐において、投票ログの照合が正常に行われた場合には（ステップＤ１８における「ＹＥＳ」）、原本用記録媒体に正常に投票データ４０７及び投票ログ４０７５が確実に記録されたことになり、法的な意味での投票が確定される。投票が確定されると、投票が確定したことを投票者に報知するために、ステップＤ１９において、投票確定ＬＥＤ２０３４を配置した基板に対してＧＰＩＯ経由で出力し、投票確定ＬＥＤ２０３４を点灯させる。点灯状態は、投票カード４０６が排出され、投票者の手で抜き取られるまで保持される。投票カードが排出されるまでの間に、システムダウンが発生した場合においても、高い確率で点灯状態が保存される。
【０１０９】
次に、ステップＤ２０〜Ｄ３３では、副本用記録媒体４０９に対して、投票データ４０７の複製がとられる。投票データ４０７の複製は、原本用記録媒体４０７に記録された投票データと照合されて一致することが確認されたＲＡＭ４３５上の投票データを副本用記録媒体４０９に記録することにより行う。したがって、副本用記録媒体への記録時には、原本用記録媒体４０８へのファイルアクセスを行わず、障害が発生する恐れのあるプロセスをできるだけ排除することとしている。さて、ステップＤ２０においては、副本用記録媒体４０９上の投票ログ格納用ファイルがオープンされ、ステップＤ２１において、副本用記録媒体に投票開始ログが記録される。投票開始ログとは、例えば「副本への記録を開始」のような文字列である。投票開始ログの記録が終了すると、ファイルクローズされ（ステップＤ２２）、次のステップＤ２３において、副本用記録媒体４０９上の投票データ格納用のファイルがオープンされる。そして、ステップＤ２４において、副本用記録媒体上にオープンされたファイルに対して、ＲＡＭ４５３に内部記憶された投票の内容を書き込む。書込みは、ＲＡＭ４５３内部の図示しないキャッシュ領域を使用して高速な書込みが行われる。書込みが終了するとファイルをクローズし、投票データの副本を有するファイルが生成される（ステップＤ２５）。さらに、ステップＤ２６〜Ｄ２８において、副本用記録媒体４０８上に投票終了ログ（例えば「副本への記録を終了」のような文字列）の書込みも行う。副本用記録媒体４０９に対して投票データ４０７及び投票ログ４０７５の書込みが終了すると、ステップＤ２９においてキャッシュの吐き出し（ダンプ）を待機した後に、次のステップに移る。
【０１１０】
ステップＤ３０〜Ｄ３３は、副本用記録媒体４０９に記録された投票データ４０７の照合（ベリファイ）を行うステップである。すなわち、ステップＤ３０において、副本用記録媒体４０９の投票データ格納用ファイル（ステップＤ２５でファイルクローズを行ったファイル）がオープンされ、ステップＤ３１において、ファイル内の投票データ４０７の読み出しが行われる。読み出された投票データ４０７は、ステップＤ３２において、ＲＡＭ４５３の図示しない作業領域に記憶され、投票プログラム４０４が管理するメモリ空間に記憶された投票データと比較、照合が行われる。ステップＤ３３の条件分岐において、照合が正常になされた場合には（ステップＤ３３の「ＹＥＳ」）、次のステップＤ３４に移る。もし、照合が正常に行われなかった場合には、投票データの書込み障害が発生したことを示すエラー画面をＬＣＤ２０３１１に出力するとともに、操作表示灯２０３０１ｂに点滅信号を出力する。照合が成功した後のステップＤ３４〜Ｄ３７においては、副本用記録媒体４０９に記録された投票ログ４０７５の照合が同様なプロセスで行われる。なお、障害発生時には、いずれの投票データ４０７が正常なものであるか確認可能とすることが好ましい。この確認については、可能な限り投票機で表示を行うが、障害度合いにおいては、記録媒体内のデータの精査が必要となる。精査は開票所で行うため、障害発生時の投票者に対して、予備的に自書投票を行ってもらい封筒に封入する措置が必要となる。
【０１１１】
図２５は、本実施の形態に適用される運用カードを発行するカード発券機のハードウェア構成の一例を示す図である。カード発券機２０１のハードウェア構成は、一般的な処理速度を有するパーソナルコンピュータ（ＰＣ：Personal Computer）で実現することが可能である。運用カード４０５及び投票カード４０６を発行する発券機カードリーダライタ２０１２は、本実施例ではＩＣカードリーダライタであり、ＰＣ本体にＵＳＢインターフェース（ＵＳＢ：Universal Serial Bus）等により接続することができる。また、選管から配布されるカード認証キー４０３と投票所における実施選挙の種類４０２を格納する発券機用メディア２０２は、ＦＤ（Floppy Disk）を用いることができる。また、乱数発生器２０１２０は、乱数をソフトウェア的に発生させる場合には、特に接続する必要がない。後述する物理乱数を発生する場合にのみ使用する。ＨＤＤ（ＨＤＤ：Hard Disk Drive）は、ＯＳや後述する発券プログラム５０４、選挙人名簿等のデータを格納する。発券機ディスプレイ２０１１は、ブラウン管（ＣＲＴ：Cathode Ray Tube）又は液晶（ＬＣＤ）のいずれの型を用いてもよい。また入力デバイスは、キーボードとマウスを用いることができる。
【０１１２】
図２６は、本実施の形態に適用される運用カード４０５を発行するカード発券機のソフトウェア構成の一例を示す図である。発券プログラム５０４は、発券機メディア読取部５３１、カード読取部５３２、投票所ＩＤ生成部５３３、発券データ記録部５３４、発券制御部５３５を有する。
【０１１３】
カード読取部５３２は、カード発券機２０１に挿入されるカードの読み取りを制御する。
【０１１４】
投票所ＩＤ生成部５３３は、投票所に固有の識別番号である投票所ＩＤの生成を行う。
【０１１５】
発券データ記録部５３４は、投票カード４０６又は運用カード４０５に対し、データの記録を行う。特に、選管から配布されるＩＣカードにカード認証キー４０３を記録しない状態で配布する運営形態の場合には、本発券データ記録部５３４が、カード認証キーをＩＣカードに記録する機能を有する。
【０１１６】
発券制御部５３５は、発券機ディスプレイ２０１１に表示される画面の制御を行う。
【０１１７】
図２７は、本実施の形態に適用される発券機メディアのデータ構造の一例を示す図である。発券機メディア２０２は、カード認証キー４０３と実施選挙の種類４０２、及び発券プログラム５０４を格納する。
【０１１８】
図２８は、本実施の形態に適用される発券機メディアに格納される実施選挙の種類４０２を示す図である。選管から配布される実施選挙の種類４０２には、カード発券機２０１が設置される投票所で実施すべき選挙のＩＤが記録されている。図２８は、選挙ＩＤ＝１および、選挙ＩＤ＝３の選挙を実施しなければならないことを示している。これらの選挙ＩＤは、投票カード４０６の発券時に参照され、図２１に図示する投票カードの投票フラグ２０２２ａ及び２０２２ｃにおいて投票可能のフラグが立てられることとなる。
【０１１９】
図２９は、本実施の形態に適用される発券プログラムを構成する投票所ＩＤ生成部５３３の一例を示すフローチャートである。ステップＳ２３０１において、乱数データの入力がリアルタイムに行われる。これは外部からの入力であってもよいし、カード発券機２０１内部の演算により生成を行ったものを入力してもよい。入力された乱数はＲＡＭ２０１１８に取り込まれる（Ｓ２３０２）。投票管理者がキーボードにより適当なキー入力を行ったとき、ＲＡＭ２０１１８上の所定アドレス間のデータを切り出し、管理者ＩＤ（投票所ＩＤ）バッファに格納され（Ｓ２３０５）、運用カードへの書込みの準備ができた場合に当該バッファの値を出力して（Ｓ２３０６）投票所ＩＤ４０５５を確定する。
【０１２０】
図３０及び図３１は、本実施の形態に適用される運用カード４０５及び投票カード４０６を用いて、電子投票システムの運営方法の流れを示すフローチャートである。本発明に係る電子投票システムの運営方法は、電子投票による選挙の際に、選挙期日（投票日）に先立って、選挙のデータ（候補者データ４０１５等）を作成する選挙データ作成システム１００と、選挙期日に各投票所に設置され、前記選挙データ作成システムから移送されたデータを使用して、選挙人（投票者）による投票を受け付ける電磁的記録式投票機２０３（電子投票機、電子投票手段ともいう）と、電磁的記録式投票機が情報を読取り可能なカード（投票カード４０６又は運用カード４０５）を発行するカード発券機２０１を備えた投票所システム２００とを備えた電子投票システムの運営方法に関するものである。そして、その運営方法は図３０及び図３１に図示するような以下のステップから構成される。
【０１２１】
すなわち、まず投票日の投票開始時刻の前において、選挙データ作成システム１００が、カード（投票カード４０６又は運用カード４０５）の読み取りの認証に関するカード認証キー４０３を予め生成するステップＳ１８０１を有する。カード認証キー４０３の具体的実施態様としては、カードとしてＩＣ（Integrated Circuit）チップ搭載のカード、すなわちＩＣカードを使用する場合には、ＩＣチップ内部に暗号化されて記録されたデータを読み取るための復号鍵やパスワード等が挙げられる。これらは、任意の数値あるいは文字列の組み合わせにより実現される。
【０１２２】
次に、選挙データ生成システム１００により作成された全ての投票所において共通の認証キー４０３を、電磁的記録式投票機２０３とカード発券機２０１に対して入力するステップＳ１８０２を有する。例えば、フロッピーディスク（ＦＤ）やメモリカード等の可搬性のある記録媒体等にカード認証キー４０３を記録して各投票所に移送し、電子投票機２０３及びカード発券機２０１が有する読取り装置（電子投票機の場合は図９における副本用記録媒体用スロット２０３０４）を介して、電子投票機２０３内部のＲＡＭ４５３及びカード発券機２０１の内部のＲＡＭ２０１１８上に認証キー４０３を記憶させる。このように、各投票所に配布するカード認証キー４０３を共通化し、さらに投票プログラム４０４及び候補者データ４０１も共通化して、同一コンテンツの副本用記録媒体４０９を配布するように構成することにより、各投票所へのメディア配送時の人的ミスの発生を極めて低く抑えることが可能となる。
【０１２３】
次に、各投票所に設置されたカード発券機２０１が、投票日の投票開始時刻の前において、投票所に固有の管理識別コード４０５５（投票所ＩＤ、管理ＩＤ、投票所ＩＤともいう）を生成するステップＳ１８０３を有する。投票所ＩＤ４０５５は、乱数等を用いて生成された任意の数値列又は文字列、あるいはこれらの任意の組み合わせにより実施可能である。管理識別コード４０５５は、原則として投票所毎に異なるコードとなるため、投票所ＩＤともいう。
【０１２４】
次に、カード発券機２０１を用いて、各投票所における投票管理者（カード認証キー４０３を発行した選挙管理委員会の職員とは異なる）が管理所有するＩＣカードである運用カード４０５に、カード認証キー４０３と投票所ＩＤ４０５５とを記録するステップＳ１８０４を有する。なお、本発明は、他の実施形態として、上記のように各投票所でカード認証キー４０３をメディアに記録するのではなくて、選挙データ作成システム１００が認証キー４０３を生成した際に運用カード４０５用のブランクメディアに記録し、各投票所の投票管理者に対してこれを配布することも可能である。この場合には、投票所において、カード認証キー４０３が予め記録された運用カード４０５に対して、投票所ＩＤ４０５５のみを記録する。
【０１２５】
次に、カード認証キー４０３と投票所ＩＤ４０５５とが記録された運用カード４０５を、投票所の投票管理者がカード発券機２０１から取り出し、同一投票所内の電子投票機２０３に移送するステップＳ１８０５を有する。
【０１２６】
次に、電子投票機２０３が有する投票カード記録読取手段２０３２に運用カード４０５を挿入し（ステップＳ１８０５ａ）、運用カード４０５に記録されたカード認証キー４０３と、電子投票機２０３のＲＡＭ４５３上に記録されたカード認証キーとを照合するステップＳ１８０６を有する。例えば、電子投票機２０３が、運用カードのＩＣチップに対して認証キー４０３を送信し、ＩＣチップの読取りのパスワードを解除可能な否かを判定する。あるいは、ＩＣチップ内のデータが平文でなく暗号文の場合には、復号化できるか否かを判定する。
【０１２７】
次に、ステップＳ１８０７の条件分岐において、照合が正常に行われた場合にのみ（ステップＳ１８０７の「ＹＥＳ」）、カードに記録されたカード種別（投票カードか運用カードかのＩＤ）を読み取る（ステップＳ１８０８）。カード種別が運用カードであった場合には（ステップＳ１８０８ａの「ＹＥＳ」）、次のステップに移る。
【０１２８】
次に、投票機２０３が、運用カード４０５に記録された管理識別コード４０５５を読み取るステップＳ１８０９を有する。もし、正常に読み取られた場合には（ステップＳ１８１０の「ＹＥＳ」）、投票機のＲＡＭ４５３上に記憶、蓄積し（ステップＳ１８１１）、カード挿入待ち画面をＬＣＤ画面２０３１に表示し（ステップＳ１８１２）、投票機が投票可能な状態になる。
【０１２９】
このようにして、カード発券機２０１が投票日当日に生成した管理識別コード４０５５が、カード発券機２０１と同一の投票所内に設置された各々の投票機に伝播される。これらの一連のステップにより、投票所内のカード発券機２０１及び（通常は複数の）電子投票機２０３とが同一の管理識別コード４０５５（投票所ＩＤ）で管理されることになり、この管理識別コードを有する投票カード４０６のみを受け入れ可能となる。
【０１３０】
上記した一連のステップは、投票機を投票開始可能な状態にするためのステップであるから、投票日当日の投票開始時刻の前に行うのがよい。このステップを行う前の、投票日前日の投票機設置後から投票日当日にかけては、いかなる人間も投票を開始することができない。このように運用カードを用いた電子投票システムの運営方法は、簡便な方法で、特別な警備のコストを削減できるばかりでなく、選挙運営の透明性を確保できるという効果がある。
【０１３１】
なお、これらの操作は、投票管理者が必ずしも行わなければならないものではない。例えば、投票所に最初に来場した選挙人に対して発行された投票カード４０６を、運用カードの代わりにもちいて、投票管理者の立会いのもと、発券機２０１から投票機２０３への投票所ＩＤの伝播を行うように運営することも可能である。このような場合には、運用カードは不要であり、投票カードのみで、投票所ＩＤ（管理識別コード）を伝播させるような運営の形態となる。
【０１３２】
また、上記したステップのうち、カード認証キー４０３の照合に失敗した場合（ステップＳ１８０７の「ＮＯ」）、あるいはカード種別が運用カード４０５でない場合（ステップ１８０８ａの「ＮＯ」、若しくは管理識別コード（投票所ＩＤ）を正常に読み取ることができなかった場合（ステップＳ１８１０の「ＮＯ」）には、ステップＳ１８１３のカード排出処理により、運用カード４０５が排出され、投票機がカード挿入待ち画面（図３２に図示）を表示する。
【０１３３】
図３１を参照しながら、投票開始時刻の後の続きのステップを説明する。はじめに、管理識別ＩＤ４０５５を記憶した投票機２０３には、図３２に図示するようなカード挿入待ち画面が表示されている（ステップＳ１９０１）。
【０１３４】
投票所の受付で投票所の係員が選挙人名簿との対照を行うことにより本人確認を行った選挙人（投票者）に対し、前記カード発券機２０１により、全投票所共通の認証キー４０３及び投票所固有の管理識別コード４０５５を記録した投票カード４０６を発券するステップＳ１９０２を有する。投票カード４０６は、投票機２０３に挿入したときに、投票機を投票可能な状態にさせるアクチベータであり、投票カードには、管理識別コード（投票所ＩＤ）４０５５以外に図６に図示する選挙人特性ＩＤ２０２１（選挙人の身体障害の種類によって選択可能な入出力手段のコード）、実施される選挙の選挙ＩＤに対する投票可能か未発券かを識別する投票フラグ２０２２等が記録されている。
【０１３５】
選挙人により発券機２０１から投票機２０３まで人的に移送され、選挙人が投票機２０３に投票カード４０６を挿入するステップＳ１９０３を有する。すなわち、選挙人は投票所で発券された投票カード４０６を投票管理者から受け取った後に投票所内に設置された投票機２０３に向かい、投票カード記録読取手段２０２２に挿入する。投票カードは、カード搬送機構により機械的に投票機２０３内部に取り込まれる。
【０１３６】
電磁的記録式投票機２０３により、ＲＡＭ４５３上に蓄積された認証キー２０３を使用して投票カード４０６を読取り、認証キーを照合するステップＳ１９０４を有する。これは、投票プログラム４０４のカード制御部４１５により、データの読取に先立って、読取可能か否かを判断を行うステップである。照合された場合には（ステップＳ１９０５の「ＹＥＳ」）、次のステップに移行する。照合が正常に行うことができなかった場合には（ステップＳ１９０５の「ＮＯ」）、投票カードを投票カード記録読取手段２０２２から排出し（ステップＳ１９１４）、投票カード入力待ち状態のステップＳ１９０１に戻る。
【０１３７】
カード認証キーの照合が正常になされた場合には、カード種別の読取りのステップを有する。すなわち、挿入されたカードが、投票カードか運用カードかを識別するコードを読み取る（ステップＳ１９０６）。これは、図６には、カード種別として図示されている。カード種別が投票カードであった場合には（ステップＳ１９０７の「ＹＥＳ」）、次のステップに移る。仮に、カード種別が運用カードであったり、正常に識別コードを読み取ることができなかったりした場合には（ステップＳ１９０７の「ＮＯ」）、カード排出処理（ステップＳ１９１４）を経て、ステップＳ１９０１に戻る。
【０１３８】
投票カード４０６の管理識別コード４０５５を読み取るステップＳ１９０８を有する。正常に読み取られた場合には（ステップＳ１９０８ａの「ＹＥＳ」）、次のステップに移る。読取りに失敗した場合には、カード排出処理のステップＳ１９１４を経て、ステップ１９０１に戻る。
【０１３９】
投票カード４０６から読み取った前記管理識別コード４０５５と、電磁的記録式投票機２０３のＲＡＭ４５３上に予め記憶された管理識別コード４０５５とを照合するステップＳ１９０９を有する。これは、投票機２０３に挿入された投票カード４０６が、当該投票機が設置された投票所の発券機２０１により確かに発券されたカードであるかどうかの、正当性を照査するステップである。もし当該投票所以外の発券機で発行されたカードが用いられた場合には、カード排出処理のステップＳ１９１４により、それらの投票カードは受け付けられないこととなる。また、投票カードの偽造を行うことも、極めて困難である。投票カードに記録された管理ＩＤは、投票日当日に発行されるものであるから、投票日に先立って偽造カードを製造することは事実上不可能である。また、投票日においては、投票カードは、認証キーによって読取保護されており、しかも既に述べたように投票終了後にデータが初期化されるものであるから、管理ＩＤを盗み出すことは極めて困難である。こうして、投票カードの悪用による不正投票の危険性を事実上解消することができる。
【０１４０】
最後に、前記管理識別コード４０５５の照合が正常になされた場合にのみ（ステップＳ１９１０の「ＹＥＳ」）、投票カードに記録された選挙情報を読取り（ステップＳ１９１１）、読み取った選挙の候補者を選択可能な画面を表示して（ステップＳ１９１２）、前記電磁的記録式投票機２０３により選挙人が投票動作を開始するステップＳ１９１３を有する。選挙人は、投票機２０３内部で動作する投票プログラム４０４により、タッチパネル式ＬＣＤ２０３１上に表示された候補者選択画面を選択操作し、投票を行う。
【０１４１】
図３２は、本実施の形態に適用される投票機２０３のＬＣＤ２０３１１に表示される投票カード入力待ち画面の一例を示す図である。「投票カードを入れてください」というガイダンスが文字及び音声により行われるとともに、電子投票機２０３のカード記録読取手段２０３２の位置と投票カード４０６の挿入の向きが選挙人にわかりやすいようにアニメーション表示される。画面右下に、この投票機で投票された票数が、投票件数として表示されている。最初の投票者は、この表示が０件であることを確認し（ゼロ票確認）、投票を開始する。なお、この投票カード入力待ち画面は、投票プログラム４０４における投票画面作成部４３３により、候補者データ４０１における固定画面レイアウトテーブル４０１ｄ及び表示メッセージテーブル４０１ｆが参照されて作成され、ＬＣＤ２０３１１上に表示される。
【０１４２】
図３３は、本実施の形態に適用される投票機２０３のＬＣＤ２０３１１に表示される投票カード抜取待ち画面の一例を示す図である。投票が終了し、カード記録読取手段２０３２より投票カード４０６が自動排出されると、当該投票を行った選挙人に対して「投票が終了しました。投票カードを抜き取り、投票カードを係員にお返しください。」というガイダンスが文字及び音声により行われる。なお、この投票カード抜取待ち画面は、投票プログラム４０４における投票画面作成部４３３により、候補者データ４０１における固定画面レイアウトテーブル４０１ｄ及び表示メッセージテーブル４０１ｆが参照されて作成され、ＬＣＤ２０３１１上に表示される。
【０１４３】
図３４は、本実施の形態に適用される投票機２０３の候補者選択画面の一例を示す図である。
【０１４４】
図３５は、本実施の形態に適用される投票機２０３の候補者選択画面（ボタン押下時）の一例を示す図である。
【０１４５】
図３６は、本実施の形態に適用される投票機２０３の投票意思確認画面の一例を示す図である。
【０１４６】
図３７は、本実施の形態に適用される投票機２０３の投票意思確認画面（ボタン押下時）の一例を示す図である。
【０１４７】
図３８は、本実施の形態に適用されるカード認証キー４０３の一例を示す図である。カード認証キー４０３とは、ＩＣカードのデータにアクセスするための鍵であり、数字又は文字の列として実現される。本発明の電子投票システムの運営方法では、カード認証キー４０３は選管で作成され、全投票所に対して、同一のカード認証キーが配布される。カード認証キー４０３の配布の形態は、選管で予め、ＩＣカード（投票カード４０６や運用カード）にカード認証キー４０３を入力した後に、投票所に配布する方法がある。あるいは、ＩＣカードとは別の記録媒体によりカード認証キー４０３を投票所に配布し、投票所において、ＩＣカードにカード認証キー４０３を導入するように構成してもよい。
【０１４８】
図３９は、本発明の実施の形態における投票モードを規定する選挙人特性ＩＤ２０２１により規定される入出力手段の一例を示す図である。第１列が選挙人特性ＩＤ２０２１を示す数値であり、第２列が、対応する選挙人特性の具体例である。選挙人特性とは、非障害、視覚障害、聴覚障害、肢体障害、内部障害、とこれらの任意の組み合わせである。そして、同一の選挙人特性に対して、障害等級の軽重に応じて、図１６の第４列及び第５列の欄に示すように、使用する報知手段２０３０５及び入力手段２０３０６が異なる。例えば、選挙人特性ＩＤ２０２１が「００」である非障害者（健常者）である選挙人に対しては、電子投票機２０３のＬＣＤ２０３１に健常者用投票画面を表示し、入力手段２０３０６としてはタッチパネル、報知手段２０３０５としてＬＣＤを使用する。
【０１４９】
選挙人特性ＩＤ２０２１が「０１」である視覚障害者（６級）の選挙人（万国試視力表で測定した一眼の視力が０．０２以下、他眼の視力が０．６以下のもので、両眼の視力の和が０．２を超えるもの）に対しては、電子投票機２０３のディスプレイユニット２０３１に弱視者用投票画面を表示し、入力手段２０３０６としてはタッチパネル２０３１３、報知手段２０３０５としてＬＣＤ２０３１１を使用する。一方、選挙人特性ＩＤ２０２１が「０２」である視覚障害者（１級）の選挙人（両眼の視力の和が０．０１以下のもの）に対しては、電子投票機２０３のＬＣＤ２０３１１に投票進捗画面（候補者名などの投票内容は表示せずに投票の進捗状態のみを表示する画面）を表示して介助者に対する投票の秘密の漏洩を防止し、入力手段２０３０６としては視覚障害者用専用キーボード２０３８１、報知手段２０３０５として音量調整付きヘッドホン２０３９１とスピーカ２０３３による音声ガイドを使用する。さらに、選挙人特性ＩＤ２０２１が「０３」である視聴覚障害者（盲ろう者）の選挙人（両眼の視力の和が０．０１以下であり、かつ両耳の聴力レベルがそれぞれ１００デシベル以上のもの）に対しては、電子投票機２０３のＬＣＤ２０３１１に投票進捗画面（候補者名などの投票内容は表示せずに投票の進捗状態のみを表示する画面）を表示して介助者に対する投票の秘密の漏洩を防止し、入力手段２０３０６としては視覚障害者用専用キーボード２０３８１、報知手段２０３０５としてカナ文字ピンディスプレイ（あるいは点字ディスプレイ）を使用する。
【０１５０】
選挙人特性ＩＤ２０２１が「０４」である肢体不自由者（上肢切断又は上肢機能障害）の選挙人に対しては、電子投票機２０３のＬＣＤ２０３１に健常者と同一の投票画面を表示し、入力手段２０３０６としては図示しない肢体不自由者用キーボード又は足で入力可能なフットスイッチ、報知手段２０３０５としてＬＣＤを使用する。一方、選挙人特性ＩＤ２０２１が「０５」である肢体不自由者（全身性運動又は機能障害）の選挙人に対しては、電子投票機２０３のディスプレイユニット２０３１に投票進捗画面（候補者名などの投票内容は表示せずに投票の進捗状態のみを表示する画面）を表示して介助者に対する投票の秘密の漏洩を防止するとともに、入力手段２０３０６として不随意運動があっても入力可能な運動機能障害用プッシュスイッチ２０３７１、報知手段２０３０５として頭に固定して使用する眼鏡型表示機であるヘッドマウントディスプレイをバリアフリー用ヘッドマウントディスプレイ端子２０３０２に接続して使用する。
【０１５１】
選挙人特性ＩＤが「０５」の選挙人が使用するヘッドマウントディスプレイに表示される画面は、選択可能項目（すなわち図３７における反転表示部分）が一定時間間隔で自動的に順次切り替わるスキャン入力画面を使用する。さらに、選挙人特性ＩＤ２０２１が「０６」である内部障害（難読）を伴う選挙人対しては、電子投票機２０３のディスプレイユニット２０３１に健常者用投票画面を表示し、入力手段２０３０６としてはタッチパネル、報知手段２０３０５としてＬＣＤを使用するが、画面の進行や音声ガイドをスローで再生させる。このように、あらゆる障害に対して選挙人特性ＩＤを付与して入力手段２０３０６と報知手段２０３０５を規定することにより、すべての選挙人に対して投票モードを提供することが可能になり、投票機２０３をユニバーサルデザイン化することができる。なお、実際の投票でどのような報知手段及び入力手段が適しているかは、全国の障害者や高齢者に対して実施した模擬投票実験によって経験的に明らかになったものである。
【０１５２】
以下、図４０〜図４２を参照しながら、選挙の立候補者による届け出から、選挙人による投票、投票管理者による開票までの流れの一例を説明する。図４０は、本発明に係る電子投票機の投票の準備の流れを示すフローチャートである。
【０１５３】
投票日当日に、投票管理者によりステップＳ２０１により投票機の電源のＯＦＦが確認された後、投票機の立ち上げが行われ、最初の選挙人による「ゼロ票」確認待ち状態の準備が行われる。
【０１５４】
(1)  投票プログラム４０４、候補者データ４０１、カード認証キー４０３の投票所への送付
ステップＳ２０４ａにおいてあらかじめ作成された選挙データマスター４００を選挙管理委員会からの検査・承認終了後（ステップＳ２０４ｂ）、選挙データメディアコピー機１０２により投票機２０３のための副本用記録媒体４０９であるメモリカードに複製され（ステップＳ２０４ｃ）、原本用記録媒体４０８と共に各投票所へ送付される。したがって、全ての投票所において、カード認証キー４０３などのデータは共通となる。通常、送付は投票日前日までに行われる。
(2)  運用カードの作成
投票管理者は、投票カード発券機２０１を使い、固有の投票所ＩＤを付与した運用カード４０５を作成する。投票所ＩＤは、例えば乱数を用いて固有に生成された数値であり、原則として投票所ＩＤは投票所毎に異なることとなる。
(3)  選挙開始前に投票プログラム、候補者データ、カード認証キーをインストール
南京錠２０３０ａの鍵及び運用カード４０５（ＩＣカード）を保有する投票管理者がフロントドア２０３０を開錠し、原本用記録媒体４０８と副本用記録媒体４０９を本投票機２０３へ装着し（ステップＳ２０３、Ｓ２０４）、副本用記録媒体４０９より投票プログラム４０４、候補者データ４０１、カード認証キー４０３をインストールする（ステップＳ２１０）。
(4)  記録媒体装着
原本用記録媒体４０８及び副本用記録媒体４０９は、通常投票日前日での事前動作チェック時に装着され、南京錠２０３０ａにより施錠管理される。このように、カード認証キー４０３を発行した選管の人間と、投票所ＩＤを発行した投票所の投票管理者の双方がセキュリティに関与することとなり、選挙運営の透明性を高めることができる。
【０１５５】
次に図４１を用いて単一選挙（単記式）の投票実施例を説明する。実際の選挙では最高裁判所裁判官の国民審査のように候補者一覧から複数の候補者を選択する選挙もあるが、ここでは単一の候補者を選択する単記式選挙に限定して説明する。本実施の形態に適用される電子投票システムの運営方法による単一選挙（単記式）の投票の流れの一例を示すフローチャートである。
(1)  「ゼロ票」確認
投票所での最初の選挙人は、投票管理者と投票立会人の立ち会いのもと、ゼロ票確認機能により「ゼロ票」を確認する（ステップＳ７０２）。ゼロ票確認機能とは、例えば、カード挿入待ち画面において、投票機の原本用記録媒体４０８に記録された票、すなわち投票データ４０７の数を投票件数として表示する機能である。
なお、「ゼロ」票確認は、運用カード４０５の認証完了時点で成立する（ステップＳ７０５の「ＯＫ」）
(2)  投票機の開始
「ゼロ票」の確認終了後、投票管理者は運用カードを使い投票開始手続を行い、投票カード入力待ち機能を起動する（ステップＳ７０９）。すなわち、投票所ＩＤ４０５５が投票機のＲＡＭ４３５上に記憶され、投票カード４０６を受け入れ可能な状態となる。なお、投票機の開始は、運用カード４０５を投票機から抜いた時点で成立する。
(3)  投票の開始
投票カード入力待ち機能（ステップＳ７０９）にて、選挙人はカード発券機２０１により発券された投票カード４０６を本投票機２０３に挿入し（ステップＳ７１０）、カード認証キー４０３を用いて、投票カード４０６を読取り、投票カード４０６に記録された投票所ＩＤ４０５５と、投票機のＲＡＭ４３５上の投票所ＩＤ４０５５とを比較・照合する。照合が正常に行われた場合にのみ投票カード４０６に記録された投票権利（すなわち投票フラグ２０２２）を読取り、投票権利情報（すなわち投票フラグ２０２２が「投票可能」）が確認できた場合のみ投票機能を起動する（ステップＳ７１１の「ＯＫ」）。確認と同時に、投票カード４０６のデータ領域は初期化され、全てのデータが消去される（ステップＳ７１２）。投票カードの初期化を行うのは、カードの再使用による不正投票の恐れを完全に断ち切るためである。なお、投票の開始は、投票カードが初期化された時点で成立する。
(4)  候補者の選択
ＬＣＤ画面上に図３４のような画面を表示する候補者選択機能（ステップＳ７１３）にて、選挙人は指又はスタイラスペンにより、候補者名に触れることで、候補者を選択する（ステップＳ７１４）。
(5)  候補者選択の確認
ＬＣＤ２０３１１の画面上に図３６のような画面を表示する候補者確認機能にて（ステップＳ７１５）、選挙人は確認ボタンに指又はスタイラスペンで触れることにより、確認を行う（ステップＳ７１６）。
(6)  原本用記録媒体への投票データ記録
上記(5)での確認により、投票データ４０７は最初に原本用記録媒体４０８に記録される（ステップＳ７１７）。続いて、投票ログ４０７５が原本用記録媒体４０８に記録される（ステップＳ７１７ａ）。
(7)  投票の確定と投票確定ＬＥＤの点灯
原本用記録媒体４０８に投票データ４０７と投票ログ４０７５が記録された後、投票確定ＬＥＤ２０３４は点灯する（ステップＳ７１８）。なお、投票の確定は、投票データ４０７と投票ログ４０７５が原本用記録媒体４０８に記録確認された時点で成立する（ステップＳ７１８）
(8)  副本用記録媒体への投票データのバックアップ記録
次に、バックアップ用として副本用記録媒体４０９に同一の投票データ４０７及び投票ログ４０７５が記録される（ステップＳ７１９、Ｓ７２０）。なお、本実施形態においては、投票データ４０７の暗号化は行っていない。将来において、投票データ４０７のネットワーク伝送を行う場合には、ＤＥＳ暗号（DES: Data Encryption Standard）のような共通鍵暗号やＲＳＡ暗号（RSA: Rivest-Shamir-Adleman）のような公開鍵暗号などにより投票データ４０７の暗号化を行い、開票時に復号化するように構成してもよい。
(9)  投票の終了
投票カード４０６が排出される（ステップＳ７２１）と同時に、図３３のような画面を表示する投票カード抜取待ち機能（ステップＳ７２２）と音声ガイドにより、投票終了案内が行われ、選挙人は投票カード４０６を抜き取る（ステップＳ７２３）。なお、投票の終了は、投票カード４０６が排出された時点で成立する。
(10)  投票確定ＬＥＤの消灯
投票カードが抜き取られると、投票データの投票確定ＬＥＤ２０３４は消灯する（ステップＳ７２４）。
(11)  二重投票の防止
投票が終了し排出された投票カード４０６は初期化されているため、再度投票カードを挿入しても投票済みと判断され（ステップＳ７１１の「ＮＯ」）、二重投票が防止される。
(12)  ２人目以降の投票
上記(3)〜(10)が繰り返される。
(13)  投票カードの再発行
1)    正常に発券された投票カードを挿入。
2)    電子投票機２０３による読取りエラーや初期化の書き込みエラーが発生。3)    不正操作をしていないことが明白。
4)    投票カードを回収するとともに、当該投票カードの再利用禁止。
5)    当該選挙人へ投票カードの再発行を行う。
【０１５６】
図４２は、本実施の形態に適用される電子投票システムの運営方法による電子投票機の終了の流れを示すフローチャートである。
(1)  投票所の閉鎖
南京錠２０３０ａの鍵及び運用カード４０５（ＩＣカード）を保有する投票管理者により、投票立会人の立ち会いのもと、投票所の閉鎖処理と投票の終了処理を行う（ステップＳ８０１〜Ｓ８１３）。
(2)  投票データが記録されている原本用記録媒体と副本用記録媒体の取り外し投票管理者は、原本用記録媒体４０８と副本用記録媒体４０９を格納している投票機２０３のフロントドア２０３２を開け、本投票機の電源スイッチ２０３２により電源を遮断する。その後、原本用記録媒体４０８と副本用記録媒体４０９を取り出す（ステップＳ８１４、Ｓ８１５）。
(3)  投票データの送致
原本用記録媒体４０８と副本用記録媒体４０９を送致用格納箱に収納し（ステップＳ８１６）、施錠の上開票所へ送致する。
【０１５７】
図４３は、本実施の形態に適用される電子投票システムの復旧可能エラー発生時の処理の流れの一例を示すフローチャートである。ここで、エラーとは、投票プログラム４０４が検出可能であって、製造時にあらかじめ想定されていたものをいう。「エラー」は、次の二つに分類される。
▲１▼  リトライすることで復旧可能な「復旧可能エラー」
▲２▼  復旧不可能な「復旧不可能エラー」
「復旧可能エラー」は、
・  バリアフリー機器の接続不良
・  投票カード関連の不良時
に発生する障害である。具体的には、
(1)  投票カードの裏表や上下方向の挿入ミス、投票済みカード挿入による読み取りエラー。
カード自体の不良の場合は投票権利の確認手段がないため、別途運用上の取り決めが必要である。
(2)  バリアフリー機器（視覚障害者用専用キーボード２０３８１、ヘッドホン２０３９１及び運動機能障害用プッシュスイッチ２０３７１）の接続ミスや接続はずれ。
等が考えられる。復旧可能エラーが発生した場合は、基本的には、画面表示機能に従って行い、バリアフリー機器の再接続や投票カード４０６の再挿入を行うことで復旧させる。これにより症状が改善しない場合は、運用上、復旧不可能エラーとしての処理を行う。
「復旧不可能エラー」は、
・  投票プログラムが以降の投票操作が行えない状態
と判断した際に出力される。投票管理者は、画面表示事項に応じた対処を行い、投票機の使用を停止しなければならない。
【０１５８】
さて、ステップＳ１０１において、投票者（選挙人）が投票カード４０６を挿入する。次にステップＳ１０２の条件分岐において、投票カードに記録された投票者の投票権利の確認を行い、もし投票カードに記録された投票権利がない、すなわち既に初期化済又は未発券であったとすると（ステップＳ１０２の「投票済（初期化済）」）、ステップＳ１０５に移り、復旧可能なエラーの種類（即ち投票済であること）を投票機２０３のＬＣＤ２０３１１に表示した後に、ステップＳ１０６において投票カード４０６を排出する。投票カード４０６が排出されると、ステップＳ１０７において投票者及び投票補助者が、ＬＣＤ２０３１１に表示されたエラー内容を確認する。この場合は、ＬＣＤ２０３１１には、投票カードが投票済であった旨が表示されている。エラー内容の確認の後、ステップＳ１０８において、投票者が排出された投票カードを抜き取ると、ステップＳ１０９において、ＬＣＤ２０３１１には投票カード挿入待ち状態（図３２に図示）になる。そして、ステップＳ１１０において、投票者及び／又は投票補助者によるエラーからの復旧処理が行われる。具体的には、投票者が実際には、投票カード４０６を使用して投票を終えていなかったことが投票者の自己申告及び投票立会人の証言により確認されると、投票カード発券機２０１により、投票カード４０６が再発行される。投票者は、ステップＳ１１１において、再発行された投票カード４０６を、再挿入し、投票のやり直しを行うこととなる。
【０１５９】
ステップＳ１０２の条件分岐において、もし投票カード４０６の読み取りエラーが発生した場合には（ステップＳ１０２の「カード識別不可」）、ステップＳ１０５において、復旧可能なエラーの種類（即ちカード識別不可であること）を投票機２０３のＬＣＤ２０３１１に表示した後に、ステップＳ１０６において投票カード４０６を排出する。投票カード４０６が排出されると、投票者及び投票補助者が、ＬＣＤ２０３１１に表示されたエラー内容を確認する。この場合は、ＬＣＤ２０３１１には、挿入されたカードが認識できなかった旨が表示されている。エラー内容の確認の後、ステップＳ１０８において、投票者が排出されたカードを抜き取ると、ステップＳ１０９において、ＬＣＤ２０３１１には投票カード挿入待ち状態（図３２に図示）になる。そして、ステップＳ１１０において、投票者及び／又は投票補助者によるエラーからの復旧処理が行われる。具体的には、投票カード発券機２０１により、投票カード４０６が再発行される。投票者は、ステップＳ１１１において、再発行された投票カード４０６を、再挿入し、投票のやり直しを行うこととなる。
【０１６０】
ステップＳ１０２の条件分岐において、もし投票カード４０６の投票権利が確認された場合には（ステップＳ１０２の「投票可能」）、ステップＳ１０３において、選挙人特性２０２１を読取り、選挙人特性ＩＤ＝００か否か、すなわちバリアフリー入出力オプションを使用するかどうかを識別する。もし、選挙人特性ＩＤ＝００でなかった場合（ステップＳ１０３において「ＹＥＳ」）、ステップＳ１０４において、選挙人特性ＩＤに対応する入出力機器（図３９に図示）が接続されているかどうか確認する。ステップＳ１０４の条件分岐において、もし、読み取られた選挙人特性ＩＤに対応する入出力機器が接続されていなかったとすると（ステップＳ１０４の「ＮＯ」）、ステップＳ１０５において復旧可能エラーの種類（すなわち入出力機器が接続されていないこと）をＬＣＤ２０３１１上に表示し、ステップＳ１０６において投票カード４０６を排出する。投票カード４０６が排出されると、ステップＳ１０７において投票者及び投票補助者が、ＬＣＤ２０３１１に表示されたエラー内容を確認する。この場合は、ＬＣＤ２０３１１には、ヘッドホン２０３９１投票カードが投票済であった旨が表示されている。エラー内容の確認の後、ステップＳ１０８において、投票者が排出された投票カード４０６を抜き取ると、ステップＳ１０９において、ＬＣＤ２０３１１には投票カード挿入待ち状態（図３２に図示）になる。そして、ステップＳ１１０において、投票者及び／又は投票補助者によるエラーからの復旧処理が行われる。投票者は、ステップＳ１１１において、再発行された投票カード４０６を、再挿入し、投票のやり直しを行うこととなる。
【０１６１】
ステップＳ１０４の条件分岐において、もし、読み取られた選挙人特性ＩＤに対応する入出力機器が正常に接続されていたとすると（ステップＳ１０４の「ＹＥＳ」）、ステップＳ１１２において投票カード４０６の初期化処理が行われる。次のステップＳ１１３において、ＬＣＤ２０３１１上に候補者選択画面が表示され、投票者は投票操作を行う。もし、投票操作を行っている途中で、例えば、ヘッドホン２０３９１のプラグがヘッドホン端子２０３９からが抜けてしまったとする（ステップＳ１１４の「ＮＯ」）。その場合には、ステップＳ１１５の復旧可能エラー表示機能により、ヘッドホン端子２０３９に接続されていない旨の表示がＬＣＤ２０３１１上に表示される。そして、ステップＳ１１６において、投票者及び／又は投票補助者によるエラーからの復旧処理、すなわちヘッドホン端子の接続が行われる。正常に接続されると、候補者選択画面に復帰し、投票者は、ステップＳ１１７において、投票を継続することとなる。
【０１６２】
【発明の効果】
以上詳述したように、本発明は、投票所に設置した電子投票機に対して、入場整理券との引き換えに発行する投票カードを使用して投票を行う電子投票システムにおいて、投票カードに対する記録障害の発生に関わらず、投票データの記録を確認することができ、信頼性の高い電子投票システムを提供できるという効果がある。
【０１６３】
また本発明は、投票が確定したことをハードウェア制御により極めて低いエラー率をもって、投票者に確実に報知することができ、信頼性の高い選挙を実施できるという効果がある。
【０１６４】
また本発明は、投票機に挿入された投票カードに記録された実施選挙の投票権利を投票機が読み取って投票動作を開始した後、投票カードを排出前に投票カードを初期化するように構成し、さらに投票が確定したことを画面表示以外の報知手段で知らせるように構成することにより、投票カードの再使用による二重投票の危険性を完全に排除するとともに、投票カードの記録障害に起因する投票データの不確定性を解消し、信頼性の高い電子投票システムを構築でき、公正な選挙を実施できるという効果がある。
【図面の簡単な説明】
【図１】本発明の電子投票システムの好ましい実施の形態の構成を示す図である。
【図２】本発明に適用される電子投票機の外装の一実施形態を示す斜視図である。
【図３】本発明に適用される電子投票機の外装に係る別の一実施形態を示す斜視図である。
【図４】本発明に適用される電子投票機の外装の一実施形態を示す上面図である。
【図５】本発明に適用される電子投票機の外装の一実施形態を示す正面図である。
【図６】本発明に適用される電子投票機の外装の一実施形態を示す正面図（フロントドアオープン時）である。
【図７】本発明に適用される電子投票機の外装の一実施形態を示す背面図である。
【図８】本発明に適用される電子投票機内部のハードウェア構成の一例を示す図である。
【図９】本発明に適用される電子投票機内部のＲＡＭのデータ構造の一例を示す図である。
【図１０】本発明に適用されるシリコンディスク内部のデータ構造の一例を示す図である。
【図１１】本発明に適用される投票プログラムの構造の一例を示す図である。
【図１２】本発明に適用される候補者データの構造の一例を示す図である。
【図１３】本発明に適用される候補者データを構成する候補者テーブル（選挙ＩＤ＝１用）の一例を示す図である。
【図１４】本発明に適用される候補者データを構成する政党テーブルの一例を示す図である。
【図１５】本発明に適用される候補者データを構成する投票所グループテーブルの一例を示す図である。
【図１６】本発明に適用される候補者データを構成する固定画面レイアウトテーブルの一例を示す図である。
【図１７】本発明に適用される候補者データを構成する投票画面レイアウトテーブル（選挙ＩＤ＝１用）の一例を示す図である。
【図１８】本発明に適用される候補者データを構成する表示メッセージテーブルの一例を示す図である。
【図１９】本発明に適用される電子投票機内部に格納される原本用記録媒体のデータ構造の一例を示す図である。
【図２０】本発明に適用される電子投票機内部に格納される副本用記録媒体のデータ構造の一例を示す図である。
【図２１】本発明に適用される電子投票機内部に挿入される投票カード又は運用カードのデータ構造の一例を示す図である。
【図２２】本発明に適用される投票カードに記録される投票フラグのデータ構造の一例を示す図である。
【図２３】本発明に適用される投票プログラムを構成するカード読取部の処理の流れの一例を示すフローチャートである。
【図２４】本発明に適用される投票プログラムを構成する投票データ記録部の処理の流れの一例を示すフローチャートである。
【図２５】本発明に適用される運用カードを発行するカード発券機のハードウェア構成の一例を示す図である。
【図２６】本発明に適用される運用カードを発行するカード発券機のソフトウェア構成の一例を示す図である。
【図２７】本発明に適用される発券機メディアのデータ構造の一例を示す図である。
【図２８】本発明に適用される発券機メディアに格納される実施選挙の種類を示す図である。
【図２９】本発明に適用される発券プログラムを構成する投票所ＩＤ生成部の一例を示すフローチャートである。
【図３０】本発明に適用される運用カード及び投票カードを用いた電子投票システムの運営方法の流れを示す前半のフローチャートである。
【図３１】本発明に適用される運用カード及び投票カードを用いた電子投票システムの運営方法の流れを示す後半のフローチャートである。
【図３２】本発明に適用される投票機のＬＣＤに表示される投票カード入力待ち画面の一例を示す図である。
【図３３】本発明に適用される投票機のＬＣＤに表示される投票カード抜取待ち画面の一例を示す図である。
【図３４】本発明に適用される投票機の候補者選択画面の一例を示す図である。
【図３５】本発明に適用される投票機の候補者選択画面（ボタン押下時）の一例を示す図である。
【図３６】本発明に適用される投票機の投票意思確認画面の一例を示す図である。
【図３７】本発明に適用される投票機の投票意思確認画面（ボタン押下時）の一例を示す図である。
【図３８】本発明に適用されるカード認証キーの一例を示す図である。
【図３９】本発明の実施の形態における投票モードを規定する選挙人特性ＩＤの一例を示す図である。
【図４０】本発明に適用される電子投票機の投票の準備の流れを示すフローチャートである。
【図４１】本発明に適用される電子投票システムの運営方法による、単一選挙（単記式）の投票の流れの一例を示すフローチャートである。
【図４２】本発明に適用される電子投票システムの運営方法による、電子投票機の終了の流れを示すフローチャートである。
【図４３】本発明に適用される電子投票システムの運営方法による、復旧可能エラー発生時の処理の流れの一例を示すフローチャートである。
【符号の説明】
１００… 選挙データ作成システム
１０１… 選挙データ管理作成機
１０２… 選挙データメディアコピー機
２００… 投票所システム
２０１… 投票カード発券機（カード発券機）
２０２ …発券機用メディア
２０３… 電子投票機（電磁的記録式投票機、投票機、電子投票装置、電子投票端末、電子投票端末装置）
３００… 開票所システム
３０１… 投票データ収集・集計機
４００… 選挙データマスター
４０１… 候補者データ
４０１ａ１… 候補者テーブル
４０１ｂ… 政党テーブル
４０１ｃ… 投票所グループテーブル
４０１ｄ… 固定画面レイアウトテーブル
４０１ｅ１… 投票画面レイアウトテーブル
４０１ｆ… 表示メッセージテーブル
４０２… 実施選挙の種類（選挙種データ）
４０３… カード認証キー（認証キー）
４０４… 電子投票プログラム（投票プログラム）
４０５… 運用カード（管理者カード）
４０６… 投票カード
４０７… 投票データ
４０８… 原本用記録媒体（原本）
４０９… 副本用記録媒体（副本、複製）
４１１… オペレーティングシステム（ＯＳ）
４１２… シリアルＩ／Ｏ制御部
４１３… ウインドウ制御部
４１４… ファイル制御部
４１５… カード制御部
４１６… タッチパネル制御プログラム
４１７… プリンタ制御プログラム
４１８… ジャンクションボックス制御プログラム
４３１… カード読取部
４３２… 選挙データ読込部
４３３… 投票画面作成部
４３４… 投票データ記録部
４３５… 投票制御部
４３６… ローディングプログラム（プログラムローダー）
４５０… マザーボード
４５１… ＣＰＵ
４５２… ＲＯＭ
４５３… ＲＡＭ（ＲＡＭディスク）
４５４… シリコンディスク（システムディスク）
４５４ｂ… ローカルディスク領域
４５５… ジャンクション基板
４５６… ＶＲＡＭ（ビデオＲＡＭ）
４５７… ＣＬＯＣＫ（内蔵クオーツ時計）
５０４… 発券プログラム
５３１… 発券機メディア読取部
５３２… カード読取部
５３３… 投票所ＩＤ生成部
５３４… 発券データ記録部
５３５… 発券制御部
２０１１… 発券機ディスプレイ
２０１２… 発券機カードリーダライタ
２０２１… 選挙人特性ＩＤ（身体障害特性）
２０２２… 投票フラグ
２０３０… フロントドア
２０３０ａ…南京錠
２０３０ｂ…ロックブラケット
２０３１… ディスプレイユニット
２０３１ａ… スタイラスペン
２０３１ｂ… ペンホルダ
２０３２… カード記録読取手段（カードリーダライタ、カードＲ／Ｗ）
２０３２ａ… カードガイドＬＥＤ（カード挿入ガイドＬＥＤ）
２０３３… スピーカ
２０３３ａ… ボリューム
２０３４… 投票確定ＬＥＤ（投票確定確認用ＬＥＤ）
２０３５… スライドカバー
２０３６… ＬＣＤ角度調整アーム
２０３７… 運動機能障害用プッシュスイッチ端子
２０３８… 視覚障害者用専用キーボード端子
２０３９… ヘッドホン端子
４０５５… 投票所ＩＤ（管理ＩＤ，管理識別ＩＤ，管理識別コード、乱数）
４０７５… 投票ログ
２０１１７… ＣＰＵ（発券機）
２０１１８… ＲＡＭ（発券機）
２０１１９… ＨＤＤ（発券機）
２０１２０… 乱数発生器
２０３０１… 状態表示灯
２０３０１ａ… 電源表示灯
２０３０１ｂ… 操作表示灯
２０３０１ｃ… ポール
２０３０１ｄ… 状態表示灯ケーブル
２０３０２… 外部ディスプレイ端子
２０３０３… 原本用記録媒体用スロット
２０３０４… 副本用記録媒体用スロット
２０３０５… 報知手段
２０３０６… 入力手段
２０３０７… シリコンディスク格納部
２０３０８… 電源ＬＥＤ（ＡＣ電源供給監視用ＬＥＤ）
２０３１０… フロントドア開閉センサ
２０３１１… ＬＣＤ（液晶ディスプレイ）
２０３１２… インバータ
２０３１３… タッチパネル
２０３１４… 内蔵電池（内部バッテリ）
２０３１５… 直流電源（ＤＣ電源）
２０３１６… 交流電源（ＡＣ電源）
２０３７１… 運動機能障害用プッシュスイッチ
２０３８１… 視覚障害者用専用キーボード
２０３９１… 音量調整付きヘッドホン（ヘッドホン）
【図１】
0003932935.tif 000002
【図２】
0003932935.tif 000003
【図３】
0003932935.tif 000004
【図４】
0003932935.tif 000005
【図５】
0003932935.tif 000006
【図６】
0003932935.tif 000007
【図７】
0003932935.tif 000008
【図８】
0003932935.tif 000009
【図９】
0003932935.tif 000010
【図１０】
0003932935.tif 000011
【図１１】
0003932935.tif 000012
【図１２】
0003932935.tif 000013
【図１３】
0003932935.tif 000014
【図１４】
0003932935.tif 000015
【図１５】
0003932935.tif 000016
【図１６】
0003932935.tif 000017
【図１７】
0003932935.tif 000018
【図１８】
0003932935.tif 000019
【図１９】
0003932935.tif 000020
【図２０】
0003932935.tif 000021
【図２１】
0003932935.tif 000022
【図２２】
0003932935.tif 000023
【図２３】
0003932935.tif 000024
【図２４】
0003932935.tif 000025
【図２５】
0003932935.tif 000026
【図２６】
0003932935.tif 000027
【図２７】
0003932935.tif 000028
【図２８】
0003932935.tif 000029
【図２９】
0003932935.tif 000030
【図３０】
0003932935.tif 000031
【図３１】
0003932935.tif 000032
【図３２】
0003932935.tif 000033
【図３３】
0003932935.tif 000034
【図３４】
0003932935.tif 000035
【図３５】
0003932935.tif 000036
【図３６】
0003932935.tif 000037
【図３７】
0003932935.tif 000038
【図３８】
0003932935.tif 000039
【図３９】
0003932935.tif 000040
【図４０】
0003932935.tif 000041
【図４１】
0003932935.tif 000042
【図４２】
0003932935.tif 000043
【図４３】
0003932935.tif 000044